(57)【要約】光信号の送信装置と、光信号の受信装置と、送信装置から受信装置へ伝送される光信号を中継する複数の中継装置とを含み、送信装置と受信装置との間に複数の光信号の伝送ルートが存在する光信号伝送システムにおいて、送信装置と受信装置との間に設定される回線に適用される伝送ルートを決定する方法であって、各伝送ルート上に位置する送信装置、１以上の中継装置、及び受信装置の夫々の間の各区間で使用されている光信号の波長成分の数を伝送ルート毎に取得し、取得された波長成分の数を伝送ルート間で比較し、波長成分の数が最も少ない伝送ルートを回線に適用する伝送ルートに決定する。
2004114554.tif 000002
【特許請求の範囲】
【請求項１】
光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルート上に位置する前記送信装置、１以上の前記中継装置、及び前記受信装置の夫々の間の各区間で使用されている光信号の波長成分の数を伝送ルート毎に取得し、
取得された波長成分の数を伝送ルート間で比較し、
前記比較において波長成分の数が最も少ない伝送ルートを前記回線に適用すべき伝送ルートに決定する
ことを含む光信号の伝送ルート決定方法。
【請求項２】
光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルート上に位置する中継装置の数を伝送ルート毎に取得し、
中継装置の数を伝送ルート間で比較し、
中継装置の数が最も少ない伝送ルートを前記回線に適用すべき伝送ルートとして決定する
ことを含む光信号の伝送ルート決定方法。
【請求項３】
光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルートの伝送距離を取得し、
伝送距離を伝送ルート間で比較し、
伝送距離が最も短いルートを前記回線に適用すべき伝送ルートとして決定する
ことを含む光信号の伝送ルート決定方法。
【請求項４】
決定された伝送ルート上に位置する前記送信装置，１以上の前記中継装置，及び前記受信装置の夫々の間で使用される、前記回線に適用すべき光信号の波長を夫々決定する
請求項１〜３のいずれかに記載の光信号の伝送ルート決定方法。
【請求項５】
光信号の送信装置と、光信号の受信装置と、前記送信装置から前記受信装置へ伝送される光信号を中継する１以上の中継装置とを含む光信号伝送システムにおいて、前記送信装置と前記受信装置との間に光信号の回線を設定するための方法であって、
前記送信装置と前記中継装置との間，前記中継装置間，及び前記中継装置と前記受信装置との間の各区間毎に、前記回線に適用すべき光信号の波長を決定し、
前記決定された区間毎の波長で前記回線を設定するための指示を出力する
ことを含む光信号の回線設定方法。
【請求項６】
区間毎に、その区間における未使用の波長の中から、その波長の当該区間における伝送特性、又はその波長を含む複数の光信号の当該区間における伝送特性が最も良好となるときの波長を選択する
請求項５記載の光信号の回線設定方法。
【請求項７】
前記送信装置と前記受信装置との間に１以上の中継装置を夫々経由する複数の伝送ルートが存在する場合に、前記回線について、伝送ルート毎に各区間で適用すべき光信号の波長を決定し、
決定された各区間の波長で各伝送ルートを通じて前記受信装置に到達する光信号の伝送特性が最も良好となるときの伝送ルートを前記回線に適用すべき伝送ルートに決定する
請求項５又は６記載の光信号の回線設定方法。
【請求項８】
前記送信装置と前記受信装置との間に或る伝送ルートで新規の回線が追加される場合に、この伝送ルートを通じて前記受信装置に到達する光信号の前記新規の回線が追加される前の伝送特性を記憶し、
前記新規の回線が追加された後の前記伝送ルートを通じて前記受信装置に到達する光信号の伝送特性を取得し、
前記光信号の伝送特性を比較して、前記新規の回線の追加によって伝送特性が悪化していると認められる場合に、この伝送特性を改善するための指示を出力する
請求項５〜７のいずれかに記載の光信号の回線設定方法。
【請求項９】
前記伝送特性が信号対雑音比である
請求項６〜８のいずれかに記載の光信号の回線設定方法。
【請求項１０】
前記伝送特性が受光パワーである
請求項６〜８のいずれかに記載の光信号の回線設定方法。
【請求項１１】
前記伝送特性がゲインチルトである
請求項６〜８のいずれかに記載の光信号の回線設定方法。
【請求項１２】
光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定するシステムであって、
各伝送ルート上に位置する前記送信装置、１以上の前記中継装置、及び前記受信装置の夫々の間の各区間で使用されている光信号の波長成分の数を伝送ルート毎に取得する手段と、
取得された波長成分の数を伝送ルート間で比較する手段と、
前記比較において波長成分の数が最も少ない伝送ルートを前記回線に適用すべき伝送ルートに決定する手段と
を含む光信号の伝送ルート決定システム。
【請求項１３】
光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定するシステムであって、
各伝送ルート上に位置する中継装置の数を伝送ルート毎に取得する手段と、
中継装置の数を伝送ルート間で比較する手段と、
中継装置の数が最も少ない伝送ルートを前記回線に適用すべき伝送ルートとして決定する手段と
を含む光信号の伝送ルート決定システム。
【請求項１４】
光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定するシステムであって、
各伝送ルートの伝送距離を取得する手段と、
伝送距離を伝送ルート間で比較する手段と、
伝送距離が最も短いルートを前記回線に適用すべき伝送ルートとして決定する手段と
を含む光信号の伝送ルート決定システム。
【請求項１５】
決定された伝送ルート上に位置する各区間で前記回線について適用すべき光信号の波長を夫々決定する手段をさらに含む
請求項１２〜１４のいずれかに記載の光信号の伝送ルート決定システム。
【請求項１６】
光信号の送信装置と、光信号の受信装置と、前記送信装置から前記受信装置へ伝送される光信号を中継する１以上の中継装置とを含む光信号伝送システムにおいて、前記送信装置と前記受信装置との間に光信号の回線を設定するためのシステムであって、
前記送信装置と前記中継装置との間，前記中継装置間，及び前記中継装置と前記受信装置との間の区間毎に、前記回線に適用すべき光信号の波長を決定する手段と、
前記決定された区間毎の波長で前記回線を設定するための指示を出力する手段と
を含む光信号の回線設定システム。
【請求項１７】
前記波長を決定する手段は、区間毎に、その区間における未使用の波長の中から、その波長の当該区間における伝送特性、又はその波長を含む複数の光信号の当該区間における伝送特性が最も良好となるときの波長を選択する
請求項１６記載の光信号の回線設定システム。
【請求項１８】
前記波長を決定する手段は、前記送信装置と前記受信装置との間に１以上の中継装置を夫々経由する複数の伝送ルートが存在する場合に、前記回線について、伝送ルート毎に各区間で適用すべき光信号の波長を決定し、
決定された各区間の波長で各伝送ルートを通じて前記受信装置に到達する光信号の伝送特性が最も良好となるときの伝送ルートを前記回線に適用すべき伝送ルートに決定する手段をさらに含む
請求項１６又は１７記載の光信号の回線設定システム。
【請求項１９】
前記送信装置と前記受信装置との間に或る伝送ルートで新規の回線が追加される場合に、この伝送ルートを通じて前記受信装置に到達する光信号の前記新規の回線が追加される前の伝送特性を記憶する手段と、
前記新規の回線が追加された後の前記伝送ルートを通じて前記受信装置に到達する光信号の伝送特性を取得する手段と、
前記光信号の伝送特性を比較して、前記新規の回線の追加によって伝送特性が悪化していると認められる場合に、この伝送特性を改善するための指示を出力する手段とをさらに含む
請求項１６〜１８のいずれかに記載の光信号の回線設定システム。
【請求項２０】
前記伝送特性が信号対雑音比である
請求項１７〜１９のいずれかに記載の光信号の回線設定システム。
【請求項２１】
前記伝送特性が受光パワーである
請求項１７〜１９のいずれかに記載の光信号の回線設定システム。
【請求項２２】
前記伝送特性がゲインチルトである
請求項１７〜１９のいずれかに記載の光信号の回線設定システム。
【請求項２３】
光信号を送受信するための複数の伝送ルートを有する伝送装置間で設定される光信号の回線に適用すべき伝送ルートを決定する方法であって、
伝送装置間で光信号の伝送に使用されている光信号の波長成分の数を伝送ルート毎に取得し、
取得された波長成分の数を伝送ルート間で比較し、
前記比較において波長成分の数が最も少ない伝送ルートを前記回線に適用すべき伝送ルートに決定する
ことを含む光信号の伝送ルート決定方法。
【請求項２４】
光信号を送受信するための複数の伝送ルートを有する伝送装置間で設定される光信号の回線に適用すべき伝送ルートを決定する方法であって、
各伝送ルートの伝送距離を取得し、
伝送距離を伝送ルート間で比較し、
伝送距離が最も短いルートを前記回線に適用すべき伝送ルートとして決定する
ことを含む光信号の伝送ルート決定方法。
【請求項２５】
光信号を送受信する伝送装置間で光信号の回線を設定するための方法であって、
前記伝送装置間で使用されていない光信号の波長を特定し、
未使用の光信号の波長の中から、その波長の伝送装置間における伝送特性、又はその波長を含む複数の光信号の伝送装置間における伝送特性が最も良好となるときの波長を設定対象の回線に適用すべき波長として選択する
ことを含む光信号の回線設定方法。
【請求項２６】
前記伝送装置間に複数の伝送ルートが存在する場合に、伝送ルート毎に前記回線に適用すべき波長を決定し、
決定された各波長で各伝送ルートを通じて受信側の伝送装置に到達する光信号の伝送特性が最も良好となるときの伝送ルートを前記回線に適用すべき伝送ルートに決定する
ことをさらに含む請求項２５記載の光信号の回線設定方法。
【請求項２７】
前記伝送装置間に或る伝送ルートで新規の回線が追加される場合に、この伝送ルートを通じて受信側の伝送装置に到達する光信号の前記新規の回線が追加される前の伝送特性を記憶し、
前記新規の回線が追加された後の前記伝送ルートを通じて前記受信側の伝送装置に到達する光信号の伝送特性を取得し、
前記光信号の伝送特性を比較して、前記新規の回線の追加によって伝送特性が悪化していることが認められる場合に、この伝送特性を改善するための指示を出力する
ことをさらに含む請求項２５又は２６に記載の光信号の回線設定方法。
【請求項２８】
前記伝送特性が信号対雑音比である
請求項２５〜２７のいずれかに記載の光信号の回線設定方法。
【請求項２９】
前記伝送特性が受光パワーである
請求項２５〜２７のいずれかに記載の光信号の回線設定方法。
【請求項３０】
前記伝送特性がゲインチルトである
請求項２５〜２７のいずれかに記載の光信号の回線設定方法。
【請求項３１】
光信号を送受信するための複数の伝送ルートを有する伝送装置間に設定される回線に適用すべき伝送ルートを決定するシステムであって、
前記伝送装置間で使用されている光信号の波長成分の数を伝送ルート毎に取得する手段と、
取得された波長成分の数を伝送ルート間で比較する手段と、
前記比較において波長成分の数が最も少ない伝送ルートを前記回線に適用すべき伝送ルートに決定する手段と
を含む光信号の伝送ルート決定システム。
【請求項３２】
光信号を送受信するための複数の伝送ルートを有する伝送装置間に設定される回線に適用すべき伝送ルートを決定するシステムであって、
各伝送ルートの伝送距離を取得する手段と、
伝送距離を伝送ルート間で比較する手段と、
伝送距離が最も短いルートを前記回線に適用すべき伝送ルートとして決定する手段と
を含む光信号の伝送ルート決定システム。
【請求項３３】
光信号を送受信する伝送装置間に回線を設定するためのシステムであって、
前記伝送装置間で使用されていない光信号の波長を特定する手段と、
未使用の光信号の中から、その波長の伝送装置間における伝送特性、又はその波長を含む複数の光信号の伝送装置間における伝送特性が最も良好となるときの波長を設定対象の回線に適用すべき波長として決定する手段と
を含む光信号の回線設定システム。
【請求項３４】
前記波長を決定する手段は、伝送装置間に複数の伝送ルートが存在する場合に、伝送ルート毎に前記回線に適用すべき光信号の波長を決定し、
決定された各波長で各伝送ルートを通じて前記受信装置に到達する光信号の伝送特性が最も良好となるときの伝送ルートを前記回線に適用すべき伝送ルートに決定する手段をさらに含む
請求項３３記載の光信号の回線設定システム。
【請求項３５】
前記伝送装置間に或る伝送ルートで新規の回線が追加される場合に、この伝送ルートを通じて受信側の伝送装置に到達する光信号の前記新規の回線が追加される前の伝送特性を記憶する手段と、
前記新規の回線が追加された後の前記伝送ルートを通じて前記受信側の伝送装置に到達する光信号の伝送特性を取得する手段と、
前記光信号の伝送特性を比較して、前記新規の回線の追加によって伝送特性が悪化していることが認められる場合に、この伝送特性を改善するための指示を出力する手段とをさらに含む
請求項３３又は３４記載の光信号の回線設定システム。
【請求項３６】
前記伝送特性が信号対雑音比である
請求項３３〜３５のいずれかに記載の光信号の回線設定システム。
【請求項３７】
前記伝送特性が受光パワーである
請求項３３〜３５のいずれかに記載の光信号の回線設定システム。
【請求項３８】
前記伝送特性がゲインチルトである
請求項３３〜３５のいずれかに記載の光信号の回線設定システム。
【発明の詳細な説明】
【技術分野】  本発明は、光波長多重（ＷＤＭ：Ｗａｖｅｌｅｎｇｔｈ  Ｄｉｖｉｓｉｏｎ  Ｍｕｌｔｉｐｌｅｘｉｎｇ）伝送における経路設定を行う技術に関する。
【背景技術】  図２２は、光波長多重伝送システムの構成例を示す図であり、ＷＤＭ伝送網と、光送信装置、光受信装置、ネットワーク管理装置とを有している。光送信装置は、送信端末から入力される伝送信号を各波長成分に振り分ける。振り分けられた伝送信号（電気信号）は、それぞれ光信号に変換され、波長多重されてＷＤＭ伝送網に送出される。光受信装置は、ＷＤＭ伝送網を伝送されてきた光信号を受信し、電気信号へ変換し、受信端末へ送出する。ネットワーク管理装置は、ＷＤＭ伝送網，光送信装置，光受信装置等の管理機能を持つ。ＷＤＭ伝送網は、メッシュ状に接続され、伝送信号を中継する複数のＮＥ（Ｎｅｔｗｏｒｋ  Ｅｌｅｍｅｎｔ）を有する。
図２２に示すような波長多重伝送システムにおいて、新規の回線が追加される場合には、伝送信号のＷＤＭ伝送網における各ルートの伝送特性が評価され、ＷＤＭ伝送網の伝送信号の波長成分毎の最適ルートが検索、設定される。
本願発明に関連する先行技術として、例えば、特許文献１に開示されるような波長多重伝送システムがある。
【特許文献１】    特開２００２−２６８２２号公報
特許文献１では、波長成分毎に最適ルートを検索し、ルートの設定を行うという方式が提案されている。しかし、波長成分毎でしかルートが選択できない場合には同一の空き波長を求めてルートを迂回しなければならない、という問題が起きる可能性がある。
また、このような迂回を避けようとする場合には、現在使用中の波長を別波長に切り替えて回避させる必要がある。このため、運用中の回線に影響を与えてしまう可能性がある。
また、ＷＤＭ伝送網の最適ルートの始点から終点までが同じ波長であるとは限らない。最適なルートは、各ＮＥ間で波長が異なるということも考えられる。
さらに、最適ルートに新規回線を追加したことによって、他回線に影響（ＯＳＮＲ（Ｏｐｔｉｃａｌ  Ｓｉｇｎａｌ  ｔｏ  Ｎｏｉｓｅ  Ｒａｔｉｏ：信号対雑音比）劣化、ゲインチルトの悪化等）を与えることは必至であり、その対策が考えられていない。
【発明の開示】
本発明の目的の一つは、適正な伝送ルートで回線を設定可能な技術を提供することである。
また、本発明の目的の一つは、柔軟に回線を設定可能な技術を提供することである。
また、本発明の目的の一つは、複数の伝送ルートの中から、光信号の伝送特性の良好な伝送ルートを決定可能な技術を提供することである。
また、本発明の目的の一つは、或る伝送ルートに対して新規に回線が追加された後において、その伝送ルートを通じて伝送される光信号の品質向上を図ることができる技術を提供することである。
本発明の第１の態様は、光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルート上に位置する前記送信装置、１以上の前記中継装置、及び前記受信装置の夫々の間の各区間で使用されている光信号の波長成分の数を伝送ルート毎に取得し、
取得された波長成分の数を伝送ルート間で比較し、
前記比較において波長成分の数が最も少ない伝送ルートを前記回線に適用すべき伝送ルートに決定することを含む。
第１の態様によれば、複数の伝送ルートの中から、使用中の波長成分が少ない伝送ルートを回線に適用される伝送ルートに決定することができる。
本発明の第２の態様は、光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルート上に位置する中継装置の数を伝送ルート毎に取得し、
中継装置の数を伝送ルート間で比較し、
中継装置の数が最も少ない伝送ルートを前記回線に適用すべき伝送ルートとして決定することを含む。
第２の態様によれば、複数の伝送ルートの中から、中継装置数の少ない伝送ルートを回線に適用される伝送ルートに決定することができる。
本発明の第３の態様は、光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルートの伝送距離を取得し、
伝送距離を伝送ルート間で比較し、
伝送距離が最も短いルートを前記回線に適用すべき伝送ルートとして決定する
ことを含む。
第３の態様によれば、複数の伝送ルートの中から、伝送距離の短い伝送ルートを回線に適用される伝送ルートに決定することができる。
好ましくは、第１〜３の態様は、決定された伝送ルート上に位置する前記送信装置，１以上の前記中継装置，及び前記受信装置の夫々の間で使用される、前記回線に適用すべき光信号の波長を夫々決定する。
本発明の第４の態様は、光信号の送信装置と、光信号の受信装置と、前記送信装置から前記受信装置へ伝送される光信号を中継する１以上の中継装置とを含む光信号伝送システムにおいて、前記送信装置と前記受信装置との間に光信号の回線を設定するための方法であって、
前記送信装置と前記中継装置との間，前記中継装置間，及び前記中継装置と前記受信装置との間の各区間毎に、前記回線に適用すべき光信号の波長を決定し、
前記決定された区間毎の波長で前記回線を設定するための指示を出力することを含む。
好ましくは、区間毎に、その区間における未使用の波長の中から、その波長の当該区間における伝送特性、又はその波長を含むその複数の光信号の当該区間における伝送特性が最も良好となるときの波長を選択する。
また、好ましくは、前記送信装置と前記受信装置との間に１以上の中継装置を夫々経由する複数の伝送ルートが存在する場合に、前記回線について、伝送ルート毎に各区間で適用すべき光信号の波長を決定し、
決定された各区間の波長で各伝送ルートを通じて前記受信装置に到達する光信号の伝送特性が最も良好となるときの伝送ルートを前記回線に適用すべき伝送ルートに決定する。
また、好ましくは、前記送信装置と前記受信装置との間に或る伝送ルートで新規の回線が追加される場合に、この伝送ルートを通じて前記受信装置に到達する光信号の前記新規の回線が追加される前の伝送特性を記憶し、
前記新規の回線が追加された後の前記伝送ルートを通じて前記受信装置に到達する光信号の伝送特性を取得し、
前記光信号の伝送特性を比較して、前記新規の回線の追加によって伝送特性が悪化していると認められる場合に、この伝送特性を改善するための指示を出力する。
また、好ましくは、前記光信号の伝送特性は、信号対雑音比、受光パワー、ゲインチルトのいずれか一つ又は２以上の組み合わせである。
また、本発明は、第１〜第３の態様と同様の特徴を持つ光信号の伝送ルート決定システムとして特定することができる。
また、本発明は、第４の態様と同様の特徴を持つ光信号の回線設定システムとして特定することができる。
また、本発明は、上述した第１及び３の態様と同様の特徴をもつ、光信号を送受信するための複数の伝送ルートを有する伝送装置間（例えば送信装置−受信装置間）で設定される光信号の回線に適用すべき伝送ルートを決定する方法又はシステムとして特定することができる。
また、本発明は、上述した第４の態様と同様の特徴をもつ、光信号を送受信する伝送装置間で光信号の回線を設定するための方法又はシステムとして特定することも可能である。
【図面の簡単な説明】  図１は、本発明の実施形態が適用される光多重伝送システムの構成例を示す図であり；
図２Ａ及び図２Ｂは、図１に示した光多重伝送システムの光信号の伝送に係る構成例を示す図であり；
図３は、第１の伝送ルート決定方法を実現するために伝送ルート上の各ＮＥ及び光受信装置に搭載される主な機能を示すブロック図であり；
図４は、第１の伝送ルート決定方法を実現するために伝送ルート上の光送信装置に搭載される主な機能を示すブロック図であり；
図５は、第１の伝送ルート決定方法の作用説明図であり、
図６は、第２の伝送ルート決定方法を実現するために伝送ルート上の各ＮＥに搭載される主な機能を示すブロック図であり；
図７は、第２の伝送ルート決定方法を実現するために伝送ルート上の光送信装置に搭載される主な機能を示すブロック図であり；
図８は、第２の伝送ルート決定方法の作用説明図であり；
図９は、第３の伝送ルート決定方法を実現するために伝送ルート上の各ＮＥ及び光受信装置に搭載される主な機能を示すブロック図であり；
図１０は、第３の伝送ルート決定方法を実現するために伝送ルート上の光送信装置に搭載される主な機能を示すブロック図であり；
図１１は、第３の伝送ルート決定方法の作用説明図であり；
図１２は、回線の使用波長決定方法を実現するために伝送ルート上の光送信装置に搭載される主な機能を示すブロック図であり；
図１３は、回線の使用波長決定方法を実現するために伝送ルート上の各ＮＥに搭載される主な機能を示すブロック図であり；
図１４は、回線の使用波長決定方法を実現するために伝送ルート上の光受信装置に搭載される主な機能を示すブロック図であり；
図１５は、回線の使用波長決定方法の作用説明図であり；
図１６は、伝送特性の補正方法を実現するために伝送ルート上の光受信装置に搭載される主な機能を示すブロック図であり；
図１７は、伝送特性の補正方法の説明図であり；
図１８は、新規回線の追加による受光パワーの悪化（劣化）の例を示す図であり；
図１９は、受光パワーの調整による改善の例を示す図であり；
図２０は、新規回線の追加によるゲインチルトの悪化（劣化）の例を示す図であり；
図２１は、ゲインチルト補正の例を示す図であり；
図２２は、光多重伝送システムの説明図である。
【発明を実施するための最良の形態】  以下、図面を参照して本発明の実施の形態を説明する。実施の形態の構成は例示であり、本発明は実施の形態の構成に限定されない。
〈光波長多重伝送システムの構成〉
最初に、本発明を適用可能な光信号伝送システムについて説明する。本発明に適用される光信号伝送システムは、光送信装置と、光受信装置と、中継装置とを含み、光送信装置から光受信装置へ中継装置を経由して、異なる波長成分が多重された光信号（光分割多重（ＷＤＭ）信号）を伝送可能な光波長多重伝送システムである。
図１は、光波長多重伝送システムの一例を示す図である。図１において、光波長多重伝送システムは、光送受信装置１０と、光送受信装置２０と、光送受信装置１０と光送受信装置２０との間に位置する１以上の中継装置たるＮＥ（図２Ａ及び図２Ｂには、ＮＥ１〜５を例示）と、光送受信装置１０及び２０，並びにＮＥ１〜５を管理するネットワーク管理装置３０とを備えている。これらの光送受信装置１０及び２０、並びにＮＥ１〜５は、光信号の伝送装置として機能する。
図１に示す例では、ＮＥ１は、各光ファイバＦ１及びＦ６を介して光送受信装置１０に接続されており、ＮＥ２は、各光ファイバＦ２及びＦ５を介してＮＥ１に接続されており、光送受信装置２０は、各光ファイバＦ３及びＦ４を介してＮＥ２に接続されている。
一方、ＮＥ３は、各光ファイバＦ７及びＦ１４を介して光送受信装置１０に接続されており、ＮＥ４は、各光ファイバＦ８及びＦ１３を介してＮＥ３に接続されており、ＮＥ５は、各光ファイバＦ９及びＦ１２を介してＮＥ４に接続されており、光送受信装置２０は、各光ファイバＦ１０及びＦ１１を介してＮＥ５に接続されている。
上記構成によって、光送受信装置１０から光送受信装置２０への光形式の伝送信号の送信ルートとして、光ファイバＦ１→ＮＥ１→光ファイバＦ２→ＮＥ２の順で信号が伝送されるルート（「第１の送信ルート」と称する）と、光ファイバＦ７→ＮＥ３→光ファイバＦ８→ＮＥ４→光ファイバＦ９→ＮＥ５→光ファイバＦ１０の順で信号が伝送されるルート（「第２の送信ルート」と称する）とが設けられている。
一方、光送受信装置１０の光送受信装置２０からの光信号の受信ルート（光送受信装置２０から光送受信装置１０への光形式の伝送信号の送信ルート）として、光ファイバＦ４→ＮＥ２→光ファイバＦ５→ＮＥ１→光ファイバＦ６の順で信号が伝送されるルート（「第１の受信ルート」と称する）と、光ファイバＦ１１→ＮＥ５→光ファイバＦ１２→ＮＥ４→光ファイバＦ１３→ＮＥ３→光ファイバＦ１４の順で信号が伝送されるルート（「第２の受信ルート」と称する）とが設けられている。そして、第１及び第２の送信ルートと、第１及び第２の受信ルートとの組み合わせにより、光送受信装置１０−２０間で１又は２つのリングを形成可能に構成されている。
ネットワーク管理装置３０は、各光送受信装置１０及び２０、各ＮＥ１〜５と双方向で通信可能に構成されており、これらの装置の状態を管理するとともに、必要な制御を施す装置として機能する。
図２Ａ及び図２Ｂは、図１に示した各光送受信装置及び各ＮＥの構成例を示す図である。図２Ａには、光送受信装置１０と、ＮＥ１及び２の構成が示されており、図２Ｂには、光送受信装置２０と、各ＮＥ３〜５の構成が示されている。
図２Ａ及び図２Ｂにおいて、光送受信装置１０及び２０は、同様の構成を夫々有している。光送受信装置１０を例に説明すると、光送受信装置１０は、光送信装置としての構成と、光受信装置としての構成を併せ持つ。
光送受信装置１０は、光送信装置の構成として第１及び第２の送信ルートに対応する二つの送信系統を備えている。具体的には、光送受信装置１０は、クロスコネクト（ＸＣ）部１１と、送信ルート，すなわち送信用の光ファイバ（光ファイバＦ１，Ｆ７）毎に用意される送信光増幅器（Ｔｒａｎｓｍｉｔｔｉｎｇ  Ａｍｐｌｉｆｉｅｒ：ＴＡ）１２（ＴＡ−１及びＴＡ−７）と、送信ＯＳＣ（Ｏｐｔｉｃａｌ  Ｓｕｐｅｒｖｉｓｏｒｙ  Ｃｈａｎｎｅｌ）部１３（１３−１及び１３−２）と、合波カプラ（合波ＣＰＬ）１４（１４−１及び１４−２）とを備えている。
また、光送受信装置１０は、光受信装置の構成として第１及び第２の受信ルートに対応する二つの受信系統を備えている。具体的には、光送受信装置１０は、クロスコネクト部１１と、受信ルート，すなわち受信用の光ファイバ（光ファイバＦ６，Ｆ１４）毎に用意される分波カプラ（分波ＣＰＬ）１５（１５−１及び１５−２）と、受信光増幅器（Ｒｅｃｅｉｖｉｎｇ  Ａｍｐｌｉｆｉｅｒ：ＲＡ）１６（ＲＡ−１及びＲＡ−７）と、受信ＯＳＣ部１７（１７−１及び１７−２）とを備えている。
クロスコネクト部１１は、自身に入力される複数の（ｎ（ｎは自然数）本の）波長成分（λ（１）〜λ（ｎ）：ｎは自然数）毎の出力経路の切替動作を行うスイッチ（ＳＷ）１８と、スイッチ１８から受け取る複数の波長成分を合波（多重）可能であり、多重された複数の波長成分を含む光信号（ＷＤＭ光信号）を送信光増幅器１２へ出力する多重部（マルチプレクサ：ＭＵＸ）１９と、受信光増幅器１６からＷＤＭ光信号を受け取り、このＷＤＭ光信号を波長成分毎に分離可能な分離部（デマルチプレクサ：ＤＭＵＸ）１９Ａとを備えている。
図１では、多重部１９及び分離部１９Ａは、送信又は受信ルート毎に用意されている。具体的には、第１の送信ルートに対応する多重部１９−１と、第２の送信ルートに対応する多重部１９−２と、第１の受信ルートに対応する分離部１９Ａ−１と、第２の受信ルートに対応する分離部１９Ａ−２とが用意されている。
このような構成により、クロスコネクト部１１は、スイッチ１８に入力される波長成分の一部を分波して出力したり、通過させたり、さらには複数の波長成分を合波させることができる。
送信光増幅器１２は、多重部１９から受け取るＷＤＭ信号を光増幅する。
送信ＯＳＣ部１３は、制御回路１３１と、電気／光変換モジュール（Ｅ／Ｏ  Ｍｏｄ．）１３２とを含んでいる。制御回路１３１は、光信号情報・各種ＯＨ（Ｏｖｅｒ  Ｈｅａｄ）情報・装置内情報等の各種の情報（電気信号）を電気／光変換モジュール１３２に与える。電気／光変換モジュール１３２は電気／光変換により光信号に変換された情報（ＯＳＣ光信号）を合波カプラ１４に与える。
合波カプラ１４は、送信光増幅器１２から受信するＷＤＭ光信号と、送信ＯＳＣ部１３から受信するＯＳＣ光信号（ＷＤＭ信号と波長が異なる）とを合波して光ファイバに送出する。
一方、分波カプラ１５は、光ファイバから受信する光信号をＷＤＭ光信号とＯＳＣ光信号とに分離し、ＷＤＭ光信号を受信光増幅器１６に与え、ＯＳＣ光信号を受信ＯＳＣ部１７に与える。
受信ＯＳＣ部１７は、光／電気変換モジュール（Ｏ／Ｅ  Ｍｏｄ．）１７１と、制御回路１７２とを有している。制御回路１７２は、光／電気変換モジュール１７１で電気信号に変換された情報を受け取り、この情報に基づいて必要な処理を行う。受信光増幅器１６は、分波カプラ１５から出力される光信号を光増幅してクロスコネクト部１１の分離部１９Ａに与える。
以上説明した光送受信装置１０の構成は、図２Ｂに示した光送受信装置２０の構成にそのまま当てはめることができる。このため、光送受信装置２０の構成要素の説明は省略する。
また、図２Ａにおいて、各ＮＥ１及び２は、光送受信装置１０と同様の構成要素を有している。即ち、クロスコネクト部２１（スイッチ２８、多重部２９及び３９、並びに分離部３０及び４０を含む）と、光送受信装置１０から光送受信装置２０への光信号の中継に係る送信光増幅器２２（ＴＡ−２又はＴＡ−３）と、送信ＯＳＣ部２３（制御回路２３１及び光／電気変換モジュール２３２を含む）と、合波カプラ２４と、分波カプラ２５と、受信光増幅器２６（ＲＡ−２又はＲＡ−３）と、受信ＯＳＣ部２７（光／電気変換モジュール２７１及び制御回路２７２を含む）とを備えている。さらに、各ＮＥ１及び２は、光送受信装置２０から光送受信装置１０への光信号の中継に係る送信光増幅器３２（ＴＡ−５又はＴＡ−６）と、送信ＯＳＣ部３３（制御回路３３１及び電気／光モジュール３３２を含む）と、合波カプラ３４と、分波カプラ３５，受信光増幅器３６（ＲＡ−５又はＲＡ−６）と、受信ＯＳＣ部３７（光／電気変換モジュール３７１及び制御回路３７２を含む）とを備えている。
また、図２Ｂにおける各ＮＥ３〜５の夫々は、上述した各ＮＥ１及び２の構成と同様の構成を備えている。このため、説明は省略する。このような構成により、各光送受信装置１０及び２０は、光信号の伝送において、ＮＥの一つとして機能することが可能であり、ＮＥと見なすことができる。
〈伝送ルート決定方法〉
次に、本発明によるＷＤＭ光信号の伝送ルートの決定方法の実施形態について、図１，図２Ａ及び図２Ｂに示した光多重伝送システムを例に説明する。上記した光多重伝送システムにおいて、例えば、光送受信装置１０を情報の送信側と仮定し、光送受信装置２０を情報の受信側と仮定した場合において、光送受信装置１０から光送受信装置２０へ情報を伝送する場合には、上記した第１及び第２のルートの一方を選択することができる。
本発明では、次の方式により伝送ルートを決定する。
〈１〉伝送ルートの各区間で使用されている波長成分の数が最も少ないルートを選択する（第１の伝送ルート決定方法）。
〈２〉伝送ルート上の中継装置の数（中継ＮＥ数）が最も少ないルートを選択する（第２の伝送ルート決定方法）。
〈３〉伝送距離が最も短いルートを選択する（第３の伝送ルート決定方法）。
以下、第１〜第３の伝送ルート決定方法について説明する。
《第１の伝送ルート決定方法》
第１の伝送ルート決定方法の実施形態を図３〜図５を用いて説明する。第１の伝送ルート決定方法では、各伝送ルートの各区間で使用されている波長成分の数を夫々求め、その数が最も少ないルートを選択する。
図１に示す例では、例えば、光送受信装置１０から光送受信装置２０へ光信号を伝送する伝送ルートとして、第１及び第２の送信ルートが存在する。第１の送信ルートは、伝送ルートの各区間として、光送受信装置１０−ＮＥ１間（以下、「第１区間」と称する），ＮＥ１−ＮＥ２間（以下、「第２区間」と称する），及びＮＥ２−光送受信装置２０間（以下、「第３区間」と称する）を持つ。一方、第２の送信ルートは、伝送ルートの各区間として、光送受信装置１０−ＮＥ３間（以下、「第４区間」と称する），ＮＥ３−ＮＥ４間（以下、「第５区間」と称する），ＮＥ４−ＮＥ５間（以下、「第６区間」と称する），及びＮＥ５−光送受信装置２０間（以下、「第７区間」と称する）を持つ。
光送受信装置１０及び２０，並びに各ＮＥ１〜５は、第１の伝送ルート決定方法を実現するため、図３及び図４に示すような構成を持つ。図３は、各ＮＥ１〜５及び光送受信装置２０に搭載される機能を示すブロック図であり、図４は、光送受信装置１０に搭載される機能を示すブロック図である。
図３に示すように、各ＮＥ１〜５及び光送受信装置２０は、その前段に位置するノード（光送受信装置１０又は他のＮＥ）との間の区間でＷＤＭ光信号の伝送に使用されている波長成分（λ（１）〜λ（ｎ））の使用状態を管理する使用状態管理部５１と、各波長成分の使用状態を示す情報を格納する使用状態格納部５２と、使用波長成分の数の問い合わせの受信処理を行う受信処理部５３と、使用状態格納部に格納された情報から状態情報を生成する状態情報生成部５４と、状態情報を含む応答を問い合わせ元に送信する処理を行う応答送信処理部５５とを備えることができる。
各光送受信装置１０及び２０，並びに各ＮＥ１〜５は、各区間において、１回線につき一つの波長成分を割り当てるように構成されている。使用状態格納部５２は、該当区間における各波長成分の使用状態（使用／未使用）を示すテーブル５２Ａを格納している。
使用状態管理部５１は、回線の設定／解除（波長成分の割当／割当解除）に応じてその設定／解除に係る波長成分を示す情報を回線設定部（図示せず）から受け取り、上記テーブルにおける該当波長成分の使用状態を更新する。
受信処理部５３は、問い合わせ元からの使用波長数の問い合わせを受信すると、この問い合わせを状態情報生成部５４に渡す。
状態情報生成部５４は、テーブル５２Ａの内容から状態情報を生成する。例えば、状態情報生成部５４は、状態が「使用」の波長成分の数（使用波長数）を求め、この使用波長数を状態情報として応答送信処理部５５に渡す。応答送信処理部５５は、使用波長数を含む応答を生成し、問い合わせ元へ送信する。
一方、図４に示すように、光送受信装置１０は、問い合わせの送信処理を行う問い合わせ送信処理部５６と、問い合わせに対する応答の受信処理を行う応答受信処理部５７と、伝送ルート毎に使用波長成分数の合計値（「総使用波長数」と称する）を求める総使用波長数算出部５８と、伝送ルート毎の総使用波長数を用いて伝送ルートを決定するルート決定部５９とを備えることができる。
問い合わせ送信処理部５６は、例えば、光送受信装置１０−２０間に対する新規の回線の追加要求が与えられることにより起動し、各区間の使用波長数の問い合わせを問い合わせ先（ＮＥ１〜５，光送受信装置２０）に送信する。
応答受信処理部５７は、問い合わせ先（ＮＥ１〜５，光送受信装置２０）からの応答を受信すると、これに含まれている使用波長数を総使用波長数算出部５８に渡す。
総使用波長数算出部５８は、各区間の使用波長数を受け取り、伝送ルート毎に使用波長数を加算して伝送ルート毎の総使用波長数を求め、ルート決定部５９に渡す。
ルート決定部５９は、総使用波長数を比較し、総使用波長数が最も小さい伝送ルートを追加対象の回線に適用する伝送ルートとして決定する。
その後、決定された伝送ルートの各区間で使用される波長成分が、各区間での未使用状態の波長成分の中から夫々決定される。このとき、可能な限り同一の波長成分が使用される構成を適用するのが好ましい。或いは、可能な限り連続する区間で同じ波長成分が使用される（伝送ルートの始点から終点までにおける波長成分の変更箇所が可能な限り少なくなる）ように、各区間の波長成分が選択される構成を適用するのが好ましい。或いは、各区間において、その区間を伝送されるＷＤＭ光信号に含まれる各波長成分の伝送特性が最も良好となるときの波長成分が選択されるように構成しても良い。
そして、決定された伝送ルート上に位置するＮＥ及び光送受信装置２０に対し、各区間の回線設定の指示が与えられる。
上述した問い合わせは、問い合わせ送信処理部５６から光送受信装置１０の各送信ＯＳＣ部（図２Ａ：１３−１及び１３−２）を経てＯＳＣ光信号に含められ、第１及び第２の送信ルートを通って各ＮＥ１〜５及び光送受信装置２０に与えられる。各ＮＥ１〜５及び光送受信装置２０では、問い合わせは各受信ＯＳＣ部（図２Ａ及び図２Ｂ：各ＮＥ１〜５の２７，光送受信装置２０の１７）を経て受信処理部５３に与えられ、上述した処理が行われる。
応答は、各ＮＥ１〜５及び光送受信装置２０の応答送信処理部５５から送信ＯＳＣ部（図２Ａ及び図２Ｂ；光送受信装置２０の１７−１及び１７−２，各ＮＥ１〜５の３３）を経てＯＳＣ光信号に含められ、第１及び第２の受信ルートを経て光送受信装置１０で受信され、各受信ＯＳＣ部（図２Ａ：光送受信装置１０の１３−１及び１３−２）を介して応答受信処理部５７に与えられる。
問い合わせ及び応答のやりとりは、問い合わせ元と問い合わせ先との１対１通信により行われるように構成しても良い。或いは、各ＮＥ（光送受信装置２０を含む）におけるＯＳＣ光信号のドロップイン及びドロップアウト処理により、各伝送ルート毎の問い合わせが第１又は第２の送信ルートと第１又は第２の受信ルートとの組み合わせにより構成されるリング上を一回りし、その間に各ＮＥで問い合わせに応答が付加され、応答受信処理部５７が応答が付加された伝送ルート毎の問い合わせを受け取るように構成しても良い。
ルート決定部５９で決定された伝送ルートの各区間の波長成分の決定は、上記した問い合わせと応答とのやりとりにおいて当該決定に必要な情報を問い合わせ元が収集するように構成することができる。
例えば、状態情報生成部５４で、使用波長数とともに未使用の波長成分の識別情報を含む状態情報が生成され、この状態情報を含む応答が問い合わせ元に返信されるように構成する。この場合には、応答に含まれた未使用の波長成分の識別情報を用いて、各区間の波長成分を決定することができる。これにより、各区間の未使用の波長成分を別途問い合わせる必要がなくなる。
或いは、テーブル５２Ａの内容そのものを状態情報として含む応答が問い合わせ元に返信されるように構成する。この場合には、各区間の使用波長数が問い合わせ側で算出される構成となる。また、各区間のテーブル５２Ａの内容から各区間で未使用の波長成分を特定することができる。
さらに、伝送ルートの決定にフィルタを設定することができる。例えば、特定の又は任意の区間における使用波長数が予め設定された閾値を越えていることをフィルタ条件として設定し、このフィルタ条件に合致する（使用波長数が閾値を越える区間を持つ）伝送ルートが選択対象の伝送ルートから外されるように構成することができる。これにより、その区間に新たな回線が設定されることによる負荷の増大を抑えることができる。
この場合、例えば、図４における応答受信処理部５７と総使用波長数算出部５８との間にフィルタ処理部を設け、フィルタ処理部が除外対象の伝送ルートに係る使用波長数を総使用波長数算出部５８に与えないように構成される。或いは、特定の又は全ての問い合わせ先に夫々フィルタ条件が設定され、問い合わせ先でフィルタ条件に合致するか否かの判定が行われ、その結果が問い合わせ元に送信され、当該伝送ルートが除外されるように構成しても良い。この場合、状態情報生成部が使用波長数の代わりにフィルタ条件に合致することを示す情報を状態情報として生成するように構成することができる。
図５は、第１の伝送ルート決定方法の作用説明図である。図５に示す例では、第１の送信ルートを構成する第１区間の使用波長数が３であり、第２区間の使用波長数が２であり、第３区間の使用波長数が２である。一方、第２の送信ルートを構成する第４区間の使用波長数が４であり、第５区間の使用波長数が４であり、第６区間の使用波長数が３であり、第７区間の使用波長数が３である。この場合、第１の送信ルートの総使用波長数は７であり、第２の送信ルートの総使用波長数は１４であるので、第１の送信ルートが追加対象の回線（光送受信装置１０−２０間）に適用されるルートとして決定される。
但し、或る区間にフィルタ条件が設定されている場合、例えば、第２区間における使用波長数の閾値が１０に設定されている場合において、第２区間の使用波長数が１０を越える場合には、第２の送信ルートの総使用波長数が第１の送信ルートの総使用波長数を上回っている場合でも、第２の送信ルートが選択される。
なお、ルート決定において、複数の最も少ない総使用波長数がある場合には、所定の優先順位に従って、１つの伝送ルートが選択される。
なお、光送受信装置２０が図４に示したような問い合わせ元としての構成を備え、且つ光送受信装置１０が図３に示したような問い合わせ先としての構成を備え、光送受信装置２０から光送受信装置１０への伝送ルートが決定されるように構成することができる。
また、上述した例では、光送受信装置１０で伝送ルートが決定される例について説明した。これに対し、ネットワーク管理装置３０が各伝送ルート上のＮＥ（光送受信装置を含む）に使用波長数を問い合わせ、伝送ルートを決定するように構成することも可能である。また、上述した問い合わせ元で持つ機能を送信側の光送受信装置とネットワーク管理装置との連携により実現することもできる。
図３及び図４に示したような第１の伝送ルート決定方法に係る機能は、例えば、ＣＰＵのようなプロセッサが所定のプログラムを実行するソフトウェア処理，専用チップを用いたハードウェア処理，或いはソフトウェア処理とハードウェア処理との組み合わせにより実現することができる。このことは、後述する第２及び第３の伝送ルート決定方法，回線の区間毎の使用波長決定方法，並びに回線の伝送特性の補正（調整）方法においても同様である。
《第２の伝送ルート決定方法》
次に、第２の伝送ルート決定方法を、図６〜図８を用いて説明する。第２の伝送ルート決定方法では、伝送ルート上の中継装置（中継局）の数（中継ＮＥ数）が最も少ないルートが選択される。
光送受信装置１０及び２０，並びに各ＮＥ１〜５は、第２の伝送ルート決定方法を実現するため、図６及び図７に示すような構成を持つ。図６は、各ＮＥ１〜５に搭載される機能を示すブロック図であり、図７は、光送受信装置１０に搭載される機能を示すブロック図である。
図６に示すように、問い合わせ先の各ＮＥ１〜５は、中継ＮＥ数の問い合わせの受信処理を行う受信処理部６０と、問い合わせ中に含まれているホップ数を制御するホップ数制御部６１と、問い合わせの転送処理を行う転送処理部６２とを備えることができる。
受信処理部６０は、送信ルート上の受信ＯＳＣ部（各ＮＥ１〜５の２７）で受信されるＯＳＣ光信号に含まれた問い合わせを受け取るように構成される。問い合わせには、ＴＴＬ（Ｔｉｍｅ  ｔｏ  Ｌｉｖｅ）のようなホップ数の検出に使用される値（「ホップ数値」と称する）が含まれている。ホップ数制御部６１は、受信処理部６０から問い合わせを受け取ると、そのホップ数値に対して所定の値（例えば１）を加算又は減算する処理を行った後、転送処理部６２に渡す。転送処理部６２は、問い合わせを送信ＯＳＣ部（各ＮＥ１〜５の２３）に渡す。これによって、送信ＯＳＣ部から問い合わせを含むＯＳＣ光信号が送出され、送信ルートの後段に位置する中継局（ＮＥ）に転送される。
このようにして、送信ルート上の中継局（ＮＥ）によるＯＳＣ光信号のドロップイン、ドロップアウト処理によって、問い合わせに含まれたホップ数値は、送信ルート上の中継局（ＮＥ）で所定の数だけ加算又は減算される。そして、問い合わせは、最終的に送信ルートの終点である光送受信装置２０に到達する。光送受信装置２０は、問い合わせを受け取ると、これを光送受信装置１０宛に第１又は第２の受信ルートで送り返す。
一方、図７に示すように、問い合わせ元としての光送受信装置１０は、例えば、光送受信装置１０から光送受信装置２０への新規の回線の追加要求によって起動し、デフォルト値のホップ数値を含む問い合わせを各送信ルートへ送出する問い合わせの送信処理を行う送信処理部６３と、各送信ルートを経て戻ってきた問い合わせの受信処理を行う受信処理部６４と、受信処理部６４からの問い合わせに含まれたホップ数値とそのデフォルト値との差分に基づいて各送信ルート上の中継局数を算出する中継局数算出部６５と、中継局数算出部６５から送信ルート毎の中継局数を受け取り、これらを対比して、中継局数が最も少ない送信ルートを追加対象の回線に使用すべきルートとして決定するルート決定部６６とを備えることができる。
第１のルート決定方法と同様に、送信処理部６３から出力される問い合わせは、第１及び第２の送信ルートに夫々対応する送信ＯＳＣ部に与えられ、問い合わせを含むＯＳＣ光信号が送信ルート上に送出される。また、受信処理部６４は、第１及び第２の受信ルートに夫々対応する受信ＯＳＣ部で受信されるＯＳＣ光信号に含まれた問い合わせを受け取る。
図８は、第２の伝送ルート決定方法の作用説明図である。図８に示す例では、第１の送信ルートにおける中継局数は２であり、第２の送信ルートにおける中継局数は３である。従って、第１の送信ルートが追加対象の回線（光送受信装置１０→２０間）に適用されるルートとして決定される。なお、ルート決定において、複数の最も少ない中継局数がある場合には、所定の優先順位に従って、１つの伝送ルートが選択される。
その後、決定された伝送ルートの各区間で使用される波長成分が決定され、各ＮＥ（光送受信装置２０を含む）に対して回線設定指示が与えられ、該当する回線が設定される。波長成分の決定方法は、第１の伝送ルートの決定方法で説明した方法と同様の方法を適用することができる。
なお、光送受信装置２０が図７に示したような問い合わせ元としての構成を備え、且つ光送受信装置１０が図６に示したような問い合わせ先としての構成を備え、光送受信装置２０から光送受信装置１０への伝送ルートが決定されるように構成することができる。
また、上述した例では、光送受信装置１０で伝送ルートが決定される例について説明した。これに対し、ネットワーク管理装置３０が上記の方法により光送受信装置１０で得られた各伝送ルート上の中継局数を取得し、伝送ルートを決定するように構成することも可能である。
《第３の伝送ルート決定方法》
次に、第３の伝送ルート決定方法を図９〜図１１を用いて説明する。第３の伝送ルート決定方法では、伝送距離が最も短いルートが選択される。
光送受信装置１０及び２０，並びに各ＮＥ１〜５は、第１の伝送ルート決定方法を実現するため、図９及び図１０に示すような構成を持つ。図９は、各ＮＥ１〜５及び光送受信装置２０に搭載される機能を示すブロック図であり、図１０は、光送受信装置１０に搭載される機能を示すブロック図である。
図９に示すように、各ＮＥ１〜５及び光送受信装置２０は、その前段に位置するノード（光送受信装置１０又は他のＮＥ）との間の区間の伝送距離を示す情報を格納する伝送距離格納部６７と、伝送距離の問い合わせの受信処理を行う受信処理部６８と、伝送距離格納部６７に格納された情報から状態情報を生成する状態情報生成部６９と、状態情報を含む応答を問い合わせ元に送信する処理を行う応答送信処理部７０とを備えることができる。
伝送距離格納部６７は、区間毎の伝送距離を示すテーブル（図示せず）を格納している。受信処理部６８は、問い合わせ元からの伝送距離の問い合わせを受信すると、この問い合わせを状態情報生成部６９に渡す。
状態情報生成部６９は、テーブルの内容から状態情報を生成する。例えば、状態情報生成部６９は、問い合わせに係る区間の伝送距離を伝送距離格納部６７から読み出し、この伝送距離を状態情報として応答送信処理部７０に渡す。応答送信処理部７０は、伝送距離を含む応答を生成し、問い合わせ元へ送信する。
一方、図１０に示すように、光送受信装置１０は、問い合わせの送信処理を行う問い合わせ送信処理部７１と、問い合わせに対する応答の受信処理を行う応答受信処理部７２と、伝送ルート毎に伝送距離の合計値（「総伝送距離」と称する）を求める総伝送距離算出部７３と、伝送ルート毎の総伝送距離を用いて伝送ルートを決定するルート決定部７４とを備えることができる。
問い合わせ送信処理部７１、例えば、光送受信装置１０−２０間に対する新規の回線の追加要求が与えられることにより起動し、各区間の伝送距離の問い合わせを問い合わせ先（ＮＥ１〜５，光送受信装置２０）に送信する。
応答受信処理部７２は、問い合わせ先（ＮＥ１〜５，光送受信装置２０）からの応答を受信すると、これに含まれている伝送距離を総伝送距離算出部７３に渡す。
総伝送距離算出部７３は、各区間の伝送距離を受け取り、伝送ルート毎に伝送距離を加算して伝送ルート毎の総伝送距離を求め、ルート決定部７４に渡す。
ルート決定部７４は、総伝送距離を比較し、総伝送距離が最も短い伝送ルートを追加対象の回線に適用する伝送ルートとして決定する。
その後、決定された伝送ルートの各区間で使用される波長成分が、各区間での未使用状態の波長成分の中から夫々決定される。この場合における各区間の波長成分の決定方法は、第１の伝送ルート決定方法で説明した様々な方法を適用することができる。
そして、決定された伝送ルート上に位置するＮＥ及び光送受信装置２０に対し、各区間の回線設定の指示が与えられ、対応する回線の設定処理が行われる。
上述した問い合わせは、問い合わせ送信処理部７１から光送受信装置１０の各送信ＯＳＣ部を経てＯＳＣ光信号に含められ、第１及び第２の送信ルートを通って各ＮＥ１〜５及び光送受信装置２０に与えられる。各ＮＥ１〜５及び光送受信装置２０では、問い合わせは各受信ＯＳＣ部を経て受信処理部６８に与えられ、上述した処理が行われる。応答は、各ＮＥ１〜５及び光送受信装置２０の応答送信処理部７０から送信ＯＳＣ部を経てＯＳＣ光信号に含められ、第１及び第２の受信ルートを経て光送受信装置１０で受信され、各受信ＯＳＣ部を介して応答受信処理部７２に与えられる。
第３の伝送ルート決定方法における問い合わせ及び応答のやりとりは、第１の伝送ルート決定方法で説明した様々な方法を適用することができる。また、伝送ルートの各区間の波長成分の決定において、第１の伝送ルート決定方法と同様の方法で、問い合わせと応答とのやりとりにおいて各区間の波長成分の決定に必要な情報を問い合わせ元が収集するように構成することができる。
さらに、伝送ルートの決定にフィルタを設定することができる。例えば、特定の又は任意の区間における伝送距離が予め設定された閾値を越えていることをフィルタ条件として設定し、このフィルタ条件に合致する（伝送距離が閾値を越える区間を持つ）伝送ルートが選択対象の伝送ルートから外されるように構成することができる。これにより、その区間に新たな回線が設定されることによる負荷の増大を抑えることができる。フィルタの設定及びフィルタリング処理は、第１の伝送ルート決定方法で説明した様々な手法を適用可能である。
図１１は、第３の伝送ルート決定方法の作用説明図である。図１１に示す例では、第１の送信ルートを構成する第１区間の伝送距離が１００ｋｍであり、第２区間の伝送距離が１００ｋｍであり、第３区間の伝送距離が１５０ｋｍである。一方、第２の送信ルートを構成する第４区間の伝送距離が５０ｋｍであり、第５区間の伝送距離が５０ｋｍであり、第６区間の伝送距離が１００ｋｍであり、第７区間の伝送距離が５０ｋｍである。この場合、第１の送信ルートの総伝送距離は３５０ｋｍであり、第２の送信ルートの総伝送距離は２５０ｋｍであるので、第２の送信ルートが追加対象の回線（光送受信装置１０−２０間）に適用されるルートとして決定される。
なお、ルート決定において、複数の最も少ない総伝送距離がある場合には、所定の優先順位に従って、１つの伝送ルートが選択される。
なお、光送受信装置２０が図９に示したような問い合わせ元としての構成を備え、且つ光送受信装置１０が図１０に示したような問い合わせ先としての構成を備え、光送受信装置２０から光送受信装置１０への伝送ルートが決定されるように構成することができる。
また、上述した例では、光送受信装置１０で伝送ルートが決定される例について説明した。これに対し、ネットワーク管理装置３０が各伝送ルート上のＮＥ（光送受信装置を含む）に伝送距離を問い合わせ、伝送ルートを決定するように構成することも可能である。また、上述した問い合わせ元で持つ機能を送信側の光送受信装置とネットワーク管理装置との連携により実現することもできる。
〈回線の区間毎の使用波長決定方法〉
次に、本発明による回線の区間毎の使用波長決定方法の実施形態を説明する。本発明では、光送信装置（伝送ルートの始点）から光受信装置（伝送ルートの終点）との間に１以上の中継装置（ＮＥ）を経由する新たな回線が追加される場合に、この回線に適用されるＷＤＭ光信号の波長成分を伝送ルート上の各区間毎に決定する。
具体的には、伝送ルートの始点から終点までにおける各区間において、未使用の波長から、当該区間を伝送される光信号の伝送特性が最も良好な状態となる場合の波長を選択することで決定される。伝送特性として次のものを例示できる。
〈１〉信号対雑音比（ＯＳＮＲ）〈第１の使用波長決定方法〉
〈２〉受光パワー〈第２の使用波長決定方法〉
〈３〉ゲインチルト〈第３の使用波長決定方法〉
以下、第１〜第３の使用波長決定方法について説明する。
《第１の使用波長決定方法》
第１の使用波長決定方法として、伝送ルートの各区間における未使用の波長から、その区間における光信号のＯＳＮＲ特性が最も良好となる場合の波長を選択することで、追加対象の回線に対して適用される波長を決定する方法について説明する。
第１の使用波長決定方法を実現するため、例えば、光送受信装置１０は図１２に示すような構成を持ち、各ＮＥ１〜５は図１３に示すような構成を持ち、光送受信装置２０は図１４に示すような構成を持つ。図１２は、光送信装置（送信側の光送受信装置１０）に搭載される機能を示すブロック図であり、図１３は、各ＮＥに搭載される機能を示すブロック図であり、図１４は、光受信装置（受信側の光送受信装置２０）に搭載される機能を示すブロック図である。
図１２に示すように、光送受信装置１０は、使用状態格納部７５と、波長選択用信号送信処理部７６とを備えている。使用状態格納部７５は、ＷＤＭ光信号に適用される各波長成分（λ（１）〜λ（ｎ））の使用状態（使用／未使用）を示す情報を格納している。
波長選択用信号送信処理部７６は、例えば、光送受信装置１０から光送受信装置２０へ情報を伝送するための回線を新規に追加する場合に入力される回線追加要求によって起動する。
波長選択用信号送信処理部７６は、追加対象の回線を設定する予定の伝送ルート上における自装置（光送受信装置１０）と直後のＮＥとの間の区間で未使用の波長成分を使用状態格納部７５を参照して特定し、その波長成分の評価用信号（「波長選択用信号」と称する）の送信処理を行う。波長選択用信号送信処理部７６は、未使用の波長成分の全てについて、波長の異なる波長選択用信号を夫々生成し、これらを順次送信する。
これによって、未使用の各波長成分の光信号がクロスコネクト１１に入力され、ＭＵＸ部で他の波長成分と多重され、送信光増幅器及び合波カプラを介して光ファイバに送出され、光ファイバを介して光送受信装置１０の直後に位置するＮＥに伝送される。
図１３に示すように、各ＮＥ１〜５は、伝送特性評価部７７と、評価結果送信処理部７８と、波長選択用信号送信処理部７９と、使用状態格納部８０とを備えている。
各ＮＥ１〜５では、前段の光送受信装置１０又はＮＥから送出される波長選択用信号を含むＷＤＭ光信号（に含まれる各波長成分）が、分波カプラ，受信光装置及びクロスコネクト２１のスイッチ２８を経て伝送特性評価部７７に入力される。
伝送特性評価部７７は、該当する区間の光信号の伝送特性として、その信号対雑音比（ＯＳＮＲ）を測定し、その結果を評価結果として評価結果送信処理部７８へ渡す。このとき、波長選択用信号のみの伝送特性を評価対象としても良く、波長選択用信号の波長成分を含む当該区間のＷＤＭ光信号に含まれる各波長成分の伝送特性を全体的に評価の対象としても良い。伝送特性評価部７７は、予め定められた範囲を評価対象として、送信側から順次送信されてくる、波長の異なる波長選択用信号を含む当該区間の光信号の伝送特性の測定・評価を行う。
評価結果送信処理部７８は、伝送特性の評価結果を示す情報を光送受信装置１０宛に送信する処理を行う。評価結果を示す情報は、例えば、ＯＳＣ光信号に含められて、光送受信装置１０まで転送することができる。
波長選択用信号送信処理部７９は、伝送ルート上の次の区間（自装置と次のＮＥとの間の区間）において未使用の波長成分を使用状態格納部８０に格納されている各波長成分の使用状態（使用／未使用）から特定し、未使用の波長成分の光信号（波長選択用信号）を、未使用の波長成分毎に出力する。
これによって、波長選択用信号が多重されたＷＤＭ信号がクロスコネクト２１から光増幅器２２を経て光ファイバに送出され、次のＮＥ又は光送受信装置２０へ伝送される。図１４に示すように、光送受信装置２０は、各ＮＥに搭載されている伝送特性評価部７７及び評価結果送信処理部７８と同様の第１伝送特性評価部８１及び評価結果送信処理部８２を備えている。
以上のような構成により、追加対象の回線を設定可能な伝送ルート上の各区間の送信側と受信側との間で、その区間で未使用の波長成分の光信号が波長選択用信号として未使用の波長成分毎に送受信される。そして、受信側で波長選択用信号の波長成分、又は波長選択用信号の波長成分を含む当該区間の各波長成分の伝送特性が夫々評価され、その評価結果が光送受信装置１０に与えられる。
光送受信装置１０は、図１２に示すように、各区間の未使用の波長成分毎の評価結果を受信する評価結果受信処理部８３と、評価結果受信処理部８３から評価結果を受け取り、評価結果が最も良好な波長成分を当該区間で使用する波長成分として決定する波長決定部８４とを備える。第１の波長選択方法では、波長決定部８４は、各区間における未使用の波長成分の中からＯＳＮＲ特性が最も良い波長成分を選択する。
但し、或る区間において、複数の波長成分についてほぼ同一の伝送特性が得られた場合には、例えば、可能な限り他の区間で選択された波長成分と同一の波長成分が選択されるように構成される。また、各区間において、可能な限り同一の波長成分が選択されるように構成することができる。或いは、伝送ルートの始点から終点までにおける波長成分の変更が可能な限り起こらないように各区間の波長成分を選択するように構成することも可能である。
上記方法では、波長成分が異なる波長選択用信号が各区間の送信側と受信側とで順次送受信される。この場合、送信側と受信側とが予め設定されている送受信タイミングに従って同期をとって波長選択用信号を送受信するように構成することができる。或いは、送信側が次の波長選択用信号の送信許可を受信側から受け取って次の波長選択用信号を送信するように構成することができる。
本発明では、光送信装置と光受信装置との間に追加対象の回線を設定可能な複数の伝送ルート（図１，図２Ａ及び２Ｂに示す例では、第１及び第２の送信ルート）がある場合には、次の構成を適用することができる。
即ち、伝送ルート毎に各区間の波長が決定される。次に、決定された波長成分で伝送ルート毎に試験用の回線を伝送ルートの始点（光送受信装置１０）−終点（光送受信装置２０）間に夫々設定する。次に、始点−終点間で試験用の回線を用いた信号（ルート決定用信号）の伝送を行う。次に、終点で各ルートから受信されるルート決定用信号の波長成分、又はこのルート決定用信号の波長成分を含むＷＤＭ光信号に含まれた各波長成分の伝送特性（ここでは、ＯＳＮＲ）を評価し、伝送特性が最も良好な伝送ルートを追加対象の回線に適用される伝送ルートとして決定し、この決定結果を始点に通知する。そして、始点では、決定結果に従って、回線の追加処理を行う。
このため、図１２に示すように、光送受信装置１０（伝送ルートの始点）は、回線設定指示部８５と、ルート決定用信号送信処理部８６と、決定結果受信処理部８７とを備えている。また、図１４に示すように、光送受信装置２０（伝送ルートの終点）は、第２伝送特性評価部８８と、ルート決定部８９と、決定結果送信処理部９０とを備えている。
図１２において、回線設定指示部８５は、波長決定部８４から、伝送ルート毎に、各区間で使用される波長成分の決定結果を受け取るように構成されている。回線設定指示部８５は、伝送ルート上の各ＮＥ及び光送受信装置２０に対し、試験用の回線の設定指示を与える。これによって、伝送ルート上には、各区間で決定された波長成分の光信号を伝送するための試験用の回線が設定される。
回線設定指示部８５は、設定指示に対する試験用の回線設定の終了通知を受け取ると、ルート決定用信号送信処理部８６に、ルート決定用信号の送信指示を与える。ルート決定用信号送信処理部８６は、送信指示を受け取ると、各伝送ルートの最初の区間（例えば、第１の送信ルートにおける第１区間、第２の送信ルートにおける第４区間）に対して夫々決定された波長成分の光信号をルート決定信号として出力する。
ルート決定信号は、クロスコネクト部１１から各伝送ルート（第１及び第２の送信ルート）に送出される。ルート決定信号を受信したＮＥは、次の区間で使用される波長が前の区間の波長と異なる場合には、例えば、ルート決定信号を一旦電気信号に変換し、再び次の区間で使用される波長の光信号に変換して次の区間の受信側に転送する。
このようにして、ルート決定信号は、各伝送ルートを経て、最終的に光送受信装置２０に到達し、図１４に示す第２伝送特性評価部８８に入力される。第２伝送特性評価部８８は、伝送ルート毎に、ルート決定信号の波長成分、又はルート決定信号の波長成分を含む受信ＷＤＭ光信号の各波長成分（ここでは、ＯＳＮＲ）を測定、評価する。そして、各伝送ルートに対する評価結果をルート決定部に渡す。
ルート決定部８９は、伝送ルート毎の評価結果を第２伝送特性評価部８８から受け取り、最も伝送特性（ＯＳＮＲ）が良い伝送ルートを、追加対象の回線に適用される伝送ルートとして決定する。決定結果送信処理部９０は、伝送ルートの決定結果をルート決定部から受け取り、これを光送受信装置１０へ通知する。
図１２に示す決定結果受信処理部８７は、光送受信装置２０からの決定結果を受け取ると、この決定結果を回線設定指示部８５に渡す。回線設定指示部８５は、決定結果で特定される伝送ルートを、追加対象の回線に適用するために必要な回線設定指示を作成し、当該伝送ルート上の各ＮＥ及び光送受信装置２０に与える。このようにして、新規の回線が光送受信装置１０−２０間に追加される。
追加された回線は、例えば、図２２に示すようなネットワーク構成において、送信端末と受信端末との間で送受信される情報を光送信装置（光送受信装置１０）−光受信装置（光送受信装置２０）間を経由して伝送する場合に使用される。
図１５は、各区間の光信号の伝送特性に基づく波長決定方法、及びこれに基づくルート決定方法の作用説明図である。図１５には、各区間（第１〜第７の区間）においてＯＳＮＲ特性が最も良好な波長が夫々例示されている。この例では、第１区間に対して波長λ（１）が選択され、第２区間に対してλ（２）が選択され、第３区間に対してλ（１）が選択されている。また、第４区間に対してλ（３）が選択され、第５区間に対してλ（４）が選択され、第６区間に対してλ（５）が選択され、第７区間に対してλ（６）が選択されている
そして、このような波長の選択結果に基づいて設定される試験用の回線を通じてルート決定用信号が第１及び第２の送信ルートを通じて光送受信装置１０から光送受信装置２０まで伝送される。光送受信装置２０は、第１及び第２送信ルート間でルート決定用信号に係るＯＳＮＲ特性を比較し、どちらのＯＳＮＲ特性が優れているかを求めて、光送受信装置１０に通知する。光送受信装置１０は、優れていると通知を受けた方の伝送ルート（第１及び第２の送信ルートの一方）を、追加対象の回線に適用する。
《第２の使用波長決定方法》
第２の使用波長決定方法として、伝送ルートの各区間における未使用の波長成分から、その区間における受光パワーが最も良いものを選択することで、追加対象の回線に対して適用される波長成分を決定する方法について説明する。
第２の使用波長決定方法を実現するため、第１の使用波長決定方法と同様に、例えば、光送受信装置１０は図１２に示すような構成を持ち、各ＮＥ１〜５は図１３に示すような構成を持ち、光送受信装置２０は図１４に示すような構成を持つことができる。
但し、伝送特性評価部７７（図１３）及び第１伝送特性評価部８１（図１４）の夫々は、波長選択用信号（未使用の波長成分）に係る伝送特性として、その受光パワーを測定し、その結果を評価結果として評価結果送信処理部７８（８２）へ渡す。このとき、波長選択用信号のみの受光パワーを評価対象としても良く、波長選択用信号の波長成分を含む当該区間で使用されている各波長成分の各受光パワーを全体的に評価の対象としても良い。伝送特性評価部７７は、予め定められた範囲を評価対象として、送信側から順次送信されてくる、未使用の各波長成分に係る伝送特性の測定・評価を行う。
このように、第２の使用波長決定方法は、対象となる伝送特性が受光パワーである点を除き、方法自体及びその方法を実現するための構成は第１の使用波長決定方法とほぼ同様である（図１２〜図１５参照）。
《第３の使用波長決定方法》
第３の使用波長決定方法として、伝送ルートの各区間における未使用の波長成分から、その区間におけるゲインチルトが最も良いものを選択することで、追加対象の回線に対して適用される波長成分を決定する方法について説明する。
第３の使用波長決定方法を実現するため、第１の使用波長決定方法と同様に、例えば、光送受信装置１０は図１２に示すような構成を持ち、各ＮＥ１〜５は図１３に示すような構成を持ち、光送受信装置２０は図１４に示すような構成を持つことができる。
但し、伝送特性評価部７７（図１３）及び第１伝送特性評価部８１（図１４）の夫々は、波長選択用信号（未使用の波長成分）に係る伝送特性として、ゲインチルトの測定を行う。ゲインチルトとは光のパワーを波長毎に並べたときのパワーの傾きを指す。伝送特性評価部７７及び第１伝送特性評価部８１は、波長選択用信号の波長成分を含む当該区間で使用されている（送受信されている）各波長成分の各受光パワーを測定するスペクトラムアナライザを含んでおり、このスペクトラムアナライザの測定結果を元にゲインチルトを測定する。伝送特性評価部７７（８１）は、送信側から順次送信されてくる、未使用の各波長成分に係る伝送特性（ゲインチルト）の測定・評価を行う。そして、ゲインチルトがなるべくフラットな特性を示す場合の波長が未使用の波長の中から選択されるように構成する。
このように、第２の使用波長決定方法は、対象となる伝送特性がゲインチルトである点を除き、方法自体及びその方法を実現するための構成は第１の使用波長決定方法とほぼ同様である（図１２〜図１５参照）。
〈追加回線の光信号の伝送特性の補正方法〉
次に、本発明による追加回線の光信号の伝送特性の補正方法の実施形態について説明する。上述したように、光送信装置−光受信装置間で新規の回線が追加される場合には、伝送ルート上の各区間の未使用の波長から最適波長が特定され、この最適波長を用いて当該回線が設定される。その後、回線が追加された結果、他の回線（波長成分）の光信号の伝送特性が劣化した場合には、その劣化が解消されるような伝送特性の補正又は調整を行う。
このため、光受信装置（例えば、光送受信装置２０）は、図１６に示すような構成を備えることができる。図１６は、光受信装置が備える機能を示すブロック図である。光受信装置は、伝送特性監視部８８と、伝送特性情報格納部８９と、伝送特性評価部と、通知／指示部９１とを備えることができる。
伝送特性監視部８８は、光信号の特定の伝送特性を監視している。伝送特性として、ＯＳＮＲ特性、受光パワー、ゲインチルト等を例示することができる。伝送特性監視部８８は、光送信装置−光受信装置間で新規の回線が一つ追加される場合に、追加前の直前の伝送特性を示す情報を伝送特性情報格納部８９に格納する。伝送特性監視部８８は、光受信装置で回線の追加動作が行われる場合に、そのことを示す情報又は信号を受け取るように構成されることで、上述した情報の格納動作を行うことができる。
上述した新規回線の追加動作により、図１７に示すような光送信装置−光受信装置間への回線の追加が行われた場合を想定する。図１７には、光送信装置（光送受信装置１０）と光受信装置（光送受信装置２０）との間の第１の伝送ルート上に、既に二つの回線が設定されている場合において、１つの回線が追加されたときの状態が示されている。
図１７では、第１の伝送ルート上における第４〜７区間の夫々においてλ（２）の波長を使用する第１の既存回線と、第４〜７区間の夫々でλ（８）の波長を使用する第２の既存回線とが設定されている。この場合に、上述したような本発明に係る回線の設定方法により、第４〜７区間の夫々においてλ（３），λ（４），λ（５），λ（６）を夫々使用する回線（「新規回線」と称する）が追加されたと仮定する。
この場合、光送受信装置２０は、新規回線が追加される前では、第２の伝送ルートから第１及び第２の既存回線に係るλ（２）及びλ（８）の各波長の光信号を受信する。そして、新規回線が追加される前（例えば直前）に、伝送特性監視部８８は、伝送特性情報格納部８９に、λ（２）及びλ（８）の光信号の伝送特性を示す情報を格納する。
その後、新規回線が追加されると、光送受信装置２０は、λ（２）及びλ（８）の光信号とともに、新規回線に係るλ（６）の光信号を受信する状態となる。図１６に示す伝送特性対比部９０は、新規回線が追加された後の伝送特性を測定し、伝送特性情報格納部８９に格納されている情報（新規回線追加前の伝送特性）と対比し、伝送特性が新規回線の追加によって劣化しているか否かを判定し、劣化している場合には、通知／指示部９１に伝送特性の劣化を通知する。
通知／指示部９１は、光送信装置（光送受信装置１０）に対し、伝送特性の劣化の調整指示を通知する。光送受信装置１０は、通知を受け取ると、伝送特性の劣化を解消するための指示を伝送ルート上の各ＮＥに与える。
或いは、通知／指示部９１は、伝送特性補正指示部９１は、伝送特性の劣化を解消するための指示に係る信号（指示信号）を出力するように構成することもできる。この場合、指示信号は、その宛先に該当する光送受信装置２０の内部回路に与えられる。或いは、指示信号は、ＯＳＣ信号として、光送受信装置１０及び／又は伝送ルート上のＮＥに与えられる。指示信号の受信先では、伝送特性を補正するための動作が行われる。
伝送特性評価部９０及び通知／指示部９１は、フィードバックループの一部を構成し、新規回線が追加された後の伝送特性の劣化が解消されたと認められるまで、上述した比較及び評価の動作と、通知又は指示信号の出力動作とを繰り返し行う。
例えば、評価対象の伝送特性がＯＳＮＲであり、伝送特性評価部９０において、新規回線の追加によりＯＳＮＲ特性の劣化が認められる場合には、通知部９１が光送受信装置１０に劣化の通知を与える。すると、光送受信装置１０がＯＳＮＲ特性の劣化を解消するための指示を少なくとも１つのＮＥに与え、ＯＳＮＲを補正する。ＯＳＮＲの補正は、ＯＳＮＲの劣化に係る特定の波長の光のパワーを調整したり、ＷＤＭ光信号の送信又は受信光増幅器のゲインを調整したりすることで行われる。
或いは、光送受信装置２０内部において、ＯＳＮＲが劣化している波長の光のパワーを調整したり、受信光増幅器（Ｒ−１１）で当該伝送ルート上の全ての波長（λ（２），λ（８）及びλ（６））のゲインを調整したりすることで、ＯＳＮＲ特性を補正（調整）する。
或いは、ＯＳＮＲ特性の補正の指示信号（ＯＳＣ信号）をＮＥ５にフィードバックし、ＮＥ５にてＯＳＮＲが劣化している波長のパワー調整や全波長（λ（２），λ（８）及びλ（６））の調整（光送受信装置２０への送信信号の調整）が行われるように構成することもできる。このとき、ＯＳＮＲの劣化が補正できる限り、フィードバック先は、伝送ルート（第２の送信ルート）上のＮＥ５以外のＮＥや光送受信装置１０であっても良い。
また、評価対象の伝送特性が受光パワーである場合において、図１８に示すように、新規回線の波長（λ（６））が追加されることによって、第１及び第２の既存回線の各波長（λ（２）及びλ（８））の受光パワーが低下することがある。この場合、伝送特性評価部９０及び通知／指示部９１は、各波長の受光パワーが図１９に示すような適正な値（良好な状態）になるように、光送受信装置１０に受光パワーの劣化を通知したり、所定の宛先へ指示信号を送出したりする。
また、評価対象の伝送特性がゲインチルトである場合において、図２０において、新規回線の波長（λ（６））が追加されることによって、ゲインチルトが劣化（或る波長（ここではλ（６））のパワーが他の波長よりも突出した状態）することがある。この場合、伝送特性評価部９０及び通知／指示部９１は、ゲインチルトが図２１に示すようなフラットな状態となるように、光送受信装置１０に調整指示を通知したり、所定の宛先に対する指示信号を出力したりする。
以上のようにして、新規回線が追加された場合の光信号の伝送特性を評価し、伝送特性が劣化している場合には、その劣化が解消されるように伝送特性の補正を行う。これによって、新規回線が追加された場合における既存回線への影響を抑えることができる。
〈実施形態の効果〉
本発明の実施形態によれば、第１〜第３の伝送ルート決定方法により、複数の伝送ルートの中から最適なルートを選択して追加対象の回線に適用することができる。これにより、光信号を伝送ルートの始点−終点間で適正に伝送することができる。
また、本発明に係る波長選択方法により、伝送ルートの始点−終点間における各区間で最適な波長を選択し、始点−終点間の回線に適用することで、伝送特性の良好な回線を設定することが可能となる。また、回線の設定を柔軟に行うことが可能となる。また、複数の伝送ルートの中から最適なルートを選択することもできる。
さらに、回線の追加により他の回線の伝送特性に影響が及ぶ場合には、その伝送特性が良好な状態となるように伝送特性の補正を行うこともできる。
従って、本発明の実施形態によれば、特許文献１に示されたような方式における問題、例えば、同一の空き波長を求めてルートを迂回しなければならないという問題を回避することができる。また、このような迂回を避けるために現在使用中の波長を別波長に切り替えて回避させることで運用中の回線に影響を与えてしまう可能性を解消することもできる。
さらに、最適ルートに新規回線を追加したことによる他回線への影響を抑えることができる。
〈その他〉
上述した実施形態では、送信装置，中継装置，受信装置を含む光信号伝送システムにおける伝送ルート決定方法，回線の使用波長決定方法，光信号の伝送特性の補正方法について説明した。但し、これらの方法は、送信装置と受信装置との間に中継装置が存在しない場合でも適用することができる。言い換えれば、これらの方法は、光信号を送受信する二つの伝送装置間（送信装置−中継装置間，中継装置間，中継装置−受信装置間）において適用可能である。
【産業上の利用可能性】  本発明は、光多重伝送システムのような光信号伝送システムに適用することができる。
【図１】
2004114554.tif 000003
2004114554.tif 000004
2004114554.tif 000005
【図３】
2004114554.tif 000006
【図４】
2004114554.tif 000007
【図５】
2004114554.tif 000008
【図６】
2004114554.tif 000009
【図７】
2004114554.tif 000010
【図８】
2004114554.tif 000011
【図９】
2004114554.tif 000012
【図１０】
2004114554.tif 000013
【図１１】
2004114554.tif 000014
【図１２】
2004114554.tif 000015
【図１３】
2004114554.tif 000016
【図１４】
2004114554.tif 000017
【図１５】
2004114554.tif 000018
【図１６】
2004114554.tif 000019
【図１７】
2004114554.tif 000020
【図１８】
2004114554.tif 000021
【図１９】
2004114554.tif 000022
【図２０】
2004114554.tif 000023
【図２１】
2004114554.tif 000024
【図２２】
2004114554.tif 000025
【手続補正書】
【提出日】平成17年8月23日(2005.8.23)
【手続補正１】
【補正対象書類名】特許請求の範囲
【補正対象項目名】全文
【補正方法】変更
【補正の内容】
【特許請求の範囲】
【請求項１】
光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルート上に位置する前記送信装置、１以上の前記中継装置、及び前記受信装置の夫々の間の各区間で使用されている光信号の波長成分の数を伝送ルート毎に取得し、
取得された波長成分の数を伝送ルート間で比較し、
前記比較において波長成分の数が最も少ない伝送ルートを前記回線に適用すべき伝送ルートに決定する
ことを含む光信号の伝送ルート決定方法。
【請求項２】
決定された伝送ルート上に位置する前記送信装置，１以上の前記中継装置，及び前記受信装置の夫々の間で使用される、前記回線に適用すべき光信号の波長を夫々決定する
請求項１記載の光信号の伝送ルート決定方法。
【請求項３】
光信号の送信装置と、光信号の受信装置と、前記送信装置から前記受信装置へ伝送される光信号を中継する１以上の中継装置とを含む光信号伝送システムにおいて、前記送信装置と前記受信装置との間に光信号の回線を設定するための方法であって、
前記送信装置と前記中継装置との間，前記中継装置間，及び前記中継装置と前記受信装置との間の区間毎に、前記回線に適用すべき光信号の波長を決定し、
前記決定された区間毎の波長で前記回線を設定するための指示を出力する
ことを含む光信号の回線設定方法。
【請求項４】
区間毎に、その区間における未使用の波長の中から、その波長の当該区間における伝送特性、又はその波長を含む複数の光信号の当該区間における伝送特性が最も良好となるときの波長を選択する
請求項３記載の光信号の回線設定方法。
【請求項５】
前記送信装置と前記受信装置との間に１以上の中継装置を夫々経由する複数の伝送ルートが存在する場合に、前記回線について、伝送ルート毎に各区間で適用すべき光信号の波
長を決定し、
決定された各区間の波長で各伝送ルートを通じて前記受信装置に到達する光信号の伝送特性が最も良好となるときの伝送ルートを前記回線に適用すべき伝送ルートに決定する
請求項３又は４記載の光信号の回線設定方法。
【請求項６】
前記送信装置と前記受信装置との間に或る伝送ルートで新規の回線が追加される場合に、この伝送ルートを通じて前記受信装置に到達する光信号の前記新規の回線が追加される前の伝送特性を記憶し、
前記新規の回線が追加された後の前記伝送ルートを通じて前記受信装置に到達する光信号の伝送特性を取得し、
前記光信号の伝送特性を比較して、前記新規の回線の追加によって伝送特性が悪化していると認められる場合に、この伝送特性を改善するための指示を出力する
請求項３〜５のいずれかに記載の光信号の回線設定方法。
【請求項７】
前記伝送特性が信号対雑音比である
請求項４〜６のいずれかに記載の光信号の回線設定方法。
【請求項８】
前記伝送特性が受光パワーである
請求項４〜６のいずれかに記載の光信号の回線設定方法。
【請求項９】
前記伝送特性がゲインチルトである
請求項４〜６のいずれかに記載の光信号の回線設定方法。
【請求項１０】
光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定するシステムであって、
各伝送ルート上に位置する前記送信装置、１以上の前記中継装置、及び前記受信装置の夫々の間の各区間で使用されている光信号の波長成分の数を伝送ルート毎に取得する手段と、
取得された波長成分の数を伝送ルート間で比較する手段と、
前記比較において波長成分の数が最も少ない伝送ルートを前記回線に適用すべき伝送ルートに決定する手段と
を含む光信号の伝送ルート決定システム。
【請求項１１】
決定された伝送ルート上に位置する各区間で前記回線について適用すべき光信号の波長を夫々決定する手段をさらに含む
請求項１０記載の光信号の伝送ルート決定システム。
【手続補正２】
【補正対象書類名】明細書
【補正対象項目名】全文
【補正方法】変更
【補正の内容】
【発明の詳細な説明】
【技術分野】
【０００１】
本発明は、光波長多重(ＷＤＭ : Wavelength Division Multiplexing)伝送における経
路設定を行う技術に関する。
【背景技術】
【０００２】
図２２は、光波長多重伝送システムの構成例を示す図であり、ＷＤＭ伝送網と、光送信装置、光受信装置、ネットワーク管理装置とを有している。光送信装置は、送信端末から入力される伝送信号を各波長成分に振り分ける。振り分けられた伝送信号(電気信号)は、それぞれ光信号に変換され、波長多重されてＷＤＭ伝送網に送出される。光受信装置は、ＷＤＭ伝送網を伝送されてきた光信号を受信し、電気信号へ変換し、受信端末へ送出する。ネットワーク管理装置は、ＷＤＭ伝送網，光送信装置，光受信装置等の管理機能を持つ。ＷＤＭ伝送網は、メッシュ状に接続され、伝送信号を中継する複数のＮＥ(Network Element)を有する。
【０００３】
図２２に示すような波長多重伝送システムにおいて、新規の回線が追加される場合には、伝送信号のＷＤＭ伝送網における各ルートの伝送特性が評価され、ＷＤＭ伝送網の伝送信号の波長成分毎の最適ルートが検索、設定される。
【０００４】
本願発明に関連する先行技術として、例えば、特許文献１に開示されるような波長多重伝送システムがある。
【特許文献１】特開２００２−２６８２２号公報
【発明の開示】
【０００５】
特許文献１では、波長成分毎に最適ルートを検索し、ルートの設定を行うという方式が提案されている。しかし、波長成分毎でしかルートが選択できない場合には同一の空き波長を求めてルートを迂回しなければならない、という問題が起きる可能性がある。
【０００６】
また、このような迂回を避けようとする場合には、現在使用中の波長を別波長に切り替えて回避させる必要がある。このため、運用中の回線に影響を与えてしまう可能性がある。
【０００７】
また、ＷＤＭ伝送網の最適ルートの始点から終点までが同じ波長であるとは限らない。最適なルートは、各ＮＥ間で波長が異なるということも考えられる。
【０００８】
さらに、最適ルートに新規回線を追加したことによって、他回線に影響(ＯＳＮＲ(Optical Signal to Noise Ratio：信号対雑音比)劣化、ゲインチルトの悪化等)を与えること
は必至であり、その対策が考えられていない。
【０００９】
本発明の目的の一つは、適正な伝送ルートで回線を設定可能な技術を提供することである。
【００１０】
また、本発明の目的の一つは、柔軟に回線を設定可能な技術を提供することである。
【００１１】
また、本発明の目的の一つは、複数の伝送ルートの中から、光信号の伝送特性の良好な伝送ルートを決定可能な技術を提供することである。
【００１２】
また、本発明の目的の一つは、或る伝送ルートに対して新規に回線が追加された後において、その伝送ルートを通じて伝送される光信号の品質向上を図ることができる技術を提供することである。
【００１３】
本発明の第１の態様は、光信号の送信装置と、光信号の受信装置と、前記送信装置から前記受信装置へ伝送される光信号を中継する複数の中継装置とを含み、前記送信装置と前
記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルート上に位置する前記送信装置、１以上の前記中継装置、及び前記受信装置の夫々の間の各区間で使用されている光信号の波長成分の数を伝送ルート毎に取得し、
取得された波長成分の数を伝送ルート間で比較し、
前記比較において波長成分の数が最も少ない伝送ルートを前記回線に適用すべき伝送ルートに決定することを含む。
【００１４】
第１の態様によれば、複数の伝送ルートの中から、使用中の波長成分が少ない伝送ルートを回線に適用される伝送ルートに決定することができる。
【００１５】
本発明の第２の態様は、光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルート上に位置する中継装置の数を伝送ルート毎に取得し、
中継装置の数を伝送ルート間で比較し、
中継装置の数が最も少ない伝送ルートを前記回線に適用すべき伝送ルートとして決定することを含む。
【００１６】
第２の態様によれば、複数の伝送ルートの中から、中継装置数の少ない伝送ルートを回線に適用される伝送ルートに決定することができる。
【００１７】
本発明の第３の態様は、光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルートの伝送距離を取得し、
伝送距離を伝送ルート間で比較し、
伝送距離が最も短いルートを前記回線に適用すべき伝送ルートとして決定する
ことを含む。
【００１８】
第３の態様によれば、複数の伝送ルートの中から、伝送距離の短い伝送ルートを回線に適用される伝送ルートに決定することができる。
【００１９】
好ましくは、第１〜３の態様は、決定された伝送ルート上に位置する前記送信装置，１以上の前記中継装置，及び前記受信装置の夫々の間で使用される、前記回線に適用すべき光信号の波長を夫々決定する。
【００２０】
本発明の第４の態様は、光信号の送信装置と、光信号の受信装置と、前記送信装置から前記受信装置へ伝送される光信号を中継する１以上の中継装置とを含む光信号伝送システムにおいて、前記送信装置と前記受信装置との間に光信号の回線を設定するための方法であって、
前記送信装置と前記中継装置との間，前記中継装置間，及び前記中継装置と前記受信装置との間の各区間毎に、前記回線に適用すべき光信号の波長を決定し、
前記決定された区間毎の波長で前記回線を設定するための指示を出力することを含む。
【００２１】
好ましくは、区間毎に、その区間における未使用の波長の中から、その波長の当該区間における伝送特性、又はその波長を含むその複数の光信号の当該区間における伝送特性が最も良好となるときの波長を選択する。
【００２２】
また、好ましくは、前記送信装置と前記受信装置との間に１以上の中継装置を夫々経由する複数の伝送ルートが存在する場合に、前記回線について、伝送ルート毎に各区間で適用すべき光信号の波長を決定し、
決定された各区間の波長で各伝送ルートを通じて前記受信装置に到達する光信号の伝送特性が最も良好となるときの伝送ルートを前記回線に適用すべき伝送ルートに決定する。
【００２３】
また、好ましくは、前記送信装置と前記受信装置との間に或る伝送ルートで新規の回線が追加される場合に、この伝送ルートを通じて前記受信装置に到達する光信号の前記新規の回線が追加される前の伝送特性を記憶し、
前記新規の回線が追加された後の前記伝送ルートを通じて前記受信装置に到達する光信号の伝送特性を取得し、
前記光信号の伝送特性を比較して、前記新規の回線の追加によって伝送特性が悪化していると認められる場合に、この伝送特性を改善するための指示を出力する。
【００２４】
また、好ましくは、前記光信号の伝送特性は、信号対雑音比、受光パワー、ゲインチルトのいずれか一つ又は２以上の組み合わせである。
【００２５】
また、本発明は、第１〜第３の態様と同様の特徴を持つ光信号の伝送ルート決定システムとして特定することができる。
【００２６】
また、本発明は、第４の態様と同様の特徴を持つ光信号の回線設定システムとして特定することができる。
【００２７】
また、本発明は、上述した第１及び３の態様と同様の特徴をもつ、光信号を送受信するための複数の伝送ルートを有する伝送装置間(例えば送信装置−受信装置間)で設定される光信号の回線に適用すべき伝送ルートを決定する方法又はシステムとして特定することができる。
【００２８】
また、本発明は、上述した第４の態様と同様の特徴をもつ、光信号を送受信する伝送装置間で光信号の回線を設定するための方法又はシステムとして特定することも可能である。
【図面の簡単な説明】
【００２９】
【図１】図１は、本発明の実施形態が適用される光多重伝送システムの構成例を示す図である。
【図２Ａ】図２Ａは、図１に示した光多重伝送システムの光信号の伝送に係る構成例を示す図である。
【図２Ｂ】図２Ｂは、図１に示した光多重伝送システムの光信号の伝送に係る構成例を示す図である。
【図３】図３は、第１の伝送ルート決定方法を実現するために伝送ルート上の各ＮＥ及び光受信装置に搭載される主な機能を示すブロック図である。
【図４】図４は、第１の伝送ルート決定方法を実現するために伝送ルート上の光送信装置に搭載される主な機能を示すブロック図である。
【図５】図５は、第１の伝送ルート決定方法の作用説明図であり、
【図６】図６は、第２の伝送ルート決定方法を実現するために伝送ルート上の各ＮＥに搭載される主な機能を示すブロック図である。
【図７】図７は、第２の伝送ルート決定方法を実現するために伝送ルート上の光送信装置に搭載される主な機能を示すブロック図である。
【図８】図８は、第２の伝送ルート決定方法の作用説明図である。
【図９】図９は、第３の伝送ルート決定方法を実現するために伝送ルート上の各ＮＥ及び光受信装置に搭載される主な機能を示すブロック図である。
【図１０】図１０は、第３の伝送ルート決定方法を実現するために伝送ルート上の光送信装置に搭載される主な機能を示すブロック図である。
【図１１】図１１は、第３の伝送ルート決定方法の作用説明図である。
【図１２】図１２は、回線の使用波長決定方法を実現するために伝送ルート上の光送信装置に搭載される主な機能を示すブロック図である。
【図１３】図１３は、回線の使用波長決定方法を実現するために伝送ルート上の各ＮＥに搭載される主な機能を示すブロック図である。
【図１４】図１４は、回線の使用波長決定方法を実現するために伝送ルート上の光受信装置に搭載される主な機能を示すブロック図である。
【図１５】図１５は、回線の使用波長決定方法の作用説明図である。
【図１６】図１６は、伝送特性の補正方法を実現するために伝送ルート上の光受信装置に搭載される主な機能を示すブロック図である。
【図１７】図１７は、伝送特性の補正方法の説明図である。
【図１８】図１８は、新規回線の追加による受光パワーの悪化(劣化)の例を示す図である。
【図１９】図１９は、受光パワーの調整による改善の例を示す図である。
【図２０】図２０は、新規回線の追加によるゲインチルトの悪化(劣化)の例を示す図である。
【図２１】図２１は、ゲインチルト補正の例を示す図である。
【図２２】図２２は、光多重伝送システムの説明図である。
【発明を実施するための最良の形態】
【００３０】
以下、図面を参照して本発明の実施の形態を説明する。実施の形態の構成は例示であり、本発明は実施の形態の構成に限定されない。
【００３１】
〈光波長多重伝送システムの構成〉
最初に、本発明を適用可能な光信号伝送システムについて説明する。本発明に適用される光信号伝送システムは、光送信装置と、光受信装置と、中継装置とを含み、光送信装置から光受信装置へ中継装置を経由して、異なる波長成分が多重された光信号(光分割多重(ＷＤＭ)信号)を伝送可能な光波長多重伝送システムである。
【００３２】
図１は、光波長多重伝送システムの一例を示す図である。図１において、光波長多重伝送システムは、光送受信装置１０と、光送受信装置２０と、光送受信装置１０と光送受信装置２０との間に位置する１以上の中継装置たるＮＥ(図２Ａ及び図２Ｂには、ＮＥ１〜
５を例示)と、光送受信装置１０及び２０，並びにＮＥ１〜５を管理するネットワーク管
理装置３０とを備えている。これらの光送受信装置１０及び２０、並びにＮＥ１〜５は、光信号の伝送装置として機能する。
【００３３】
図１に示す例では、ＮＥ１は、各光ファイバＦ１及びＦ６を介して光送受信装置１０に接続されており、ＮＥ２は、各光ファイバＦ２及びＦ５を介してＮＥ１に接続されており、光送受信装置２０は、各光ファイバＦ３及びＦ４を介してＮＥ２に接続されている。
【００３４】
一方、ＮＥ３は、各光ファイバＦ７及びＦ１４を介して光送受信装置１０に接続されており、ＮＥ４は、各光ファイバＦ８及びＦ１３を介してＮＥ３に接続されており、ＮＥ５は、各光ファイバＦ９及びＦ１２を介してＮＥ４に接続されており、光送受信装置２０は
、各光ファイバＦ１０及びＦ１１を介してＮＥ５に接続されている。
【００３５】
上記構成によって、光送受信装置１０から光送受信装置２０への光形式の伝送信号の送信ルートとして、光ファイバＦ１→ＮＥ１→光ファイバＦ２→ＮＥ２の順で信号が伝送されるルート(「第１の送信ルート」と称する)と、光ファイバＦ７→ＮＥ３→光ファイバＦ８→ＮＥ４→光ファイバＦ９→ＮＥ５→光ファイバＦ１０の順で信号が伝送されるルート(「第２の送信ルート」と称する)とが設けられている。
【００３６】
一方、光送受信装置１０の光送受信装置２０からの光信号の受信ルート(光送受信装置
２０から光送受信装置１０への光形式の伝送信号の送信ルート)として、光ファイバＦ４
→ＮＥ２→光ファイバＦ５→ＮＥ１→光ファイバＦ６の順で信号が伝送されるルート(「
第１の受信ルート」と称する)と、光ファイバＦ１１→ＮＥ５→光ファイバＦ１２→ＮＥ
４→光ファイバＦ１３→ＮＥ３→光ファイバＦ１４の順で信号が伝送されるルート(「第
２の受信ルート」と称する)とが設けられている。そして、第１及び第２の送信ルートと
、第１及び第２の受信ルートとの組み合わせにより、光送受信装置１０−２０間で１又は２つのリングを形成可能に構成されている。
【００３７】
ネットワーク管理装置３０は、各光送受信装置１０及び２０、各ＮＥ１〜５と双方向で通信可能に構成されており、これらの伝送装置の状態を管理するとともに、必要な制御を施す装置として機能する。
【００３８】
図２Ａ及び図２Ｂは、図１に示した各光送受信装置及び各ＮＥの構成例を示す図である。図２Ａには、光送受信装置１０と、ＮＥ１及び２の構成が示されており、図２Ｂには、光送受信装置２０と、各ＮＥ３〜５の構成が示されている。
【００３９】
図２Ａ及び図２Ｂにおいて、光送受信装置１０及び２０は、同様の構成を夫々有している。光送受信装置１０を例に説明すると、光送受信装置１０は、光送信装置としての構成と、光受信装置としての構成を併せ持つ。
【００４０】
光送受信装置１０は、光送信装置の構成として第１及び第２の送信ルートに対応する二つの送信系統を備えている。具体的には、光送受信装置１０は、クロスコネクト(ＸＣ)部１１と、送信ルート,すなわち送信用の光ファイバ(光ファイバＦ１,Ｆ７)毎に用意される送信光増幅器(Transmitting Amplifier：ＴＡ)１２(ＴＡ−１及びＴＡ−７)と、送信ＯＳＣ(Optical Supervisory Channel)部１３(１３−１及び１３−２)と、合波カプラ(合波ＣＰＬ)１４(１４−１及び１４−２)とを備えている。
【００４１】
また、光送受信装置１０は、光受信装置の構成として第１及び第２の受信ルートに対応する二つの受信系統を備えている。具体的には、光送受信装置１０は、クロスコネクト部１１と、受信ルート,すなわち受信用の光ファイバ(光ファイバＦ６,Ｆ１４)毎に用意される分波カプラ(分波ＣＰＬ)１５(１５−１及び１５−２)と、受信光増幅器(Receiving Amplifier：ＲＡ)１６(ＲＡ−１及びＲＡ−７)と、受信ＯＳＣ部１７(１７−１及び１７−２)とを備えている。
【００４２】
クロスコネクト部１１は、自身に入力される複数の(ｎ(ｎは自然数)本の)波長成分(λ(１)〜λ(ｎ)：ｎは自然数)毎の出力経路の切替動作を行うスイッチ(ＳＷ)１８と、スイッチ１８から受け取る複数の波長成分を合波(多重)可能であり、多重された複数の波長成分を含む光信号(ＷＤＭ光信号)を送信光増幅器１２へ出力する多重部(マルチプレクサ：Ｍ
ＵＸ)１９と、受信光増幅器１６からＷＤＭ光信号を受け取り、このＷＤＭ光信号を波長
成分毎に分離可能な分離部(デマルチプレクサ：ＤＭＵＸ)１９Ａとを備えている。
【００４３】
図１では、多重部１９及び分離部１９Ａは、送信又は受信ルート毎に用意されている。具体的には、第１の送信ルートに対応する多重部１９−１と、第２の送信ルートに対応する多重部１９−２と、第１の受信ルートに対応する分離部１９Ａ−１と、第２の受信ルートに対応する分離部１９Ａ−２とが用意されている。
【００４４】
このような構成により、クロスコネクト部１１は、スイッチ１８に入力される波長成分の一部を分波して出力したり、通過させたり、さらには複数の波長成分を合波させることができる。
【００４５】
送信光増幅器１２は、多重部１９から受け取るＷＤＭ信号を光増幅する。
【００４６】
送信ＯＳＣ部１３は、制御回路１３１と、電気／光変換モジュール(E/O Mod.)１３２とを含んでいる。制御回路１３１は、光信号情報・各種ＯＨ(Over Head)情報・装置内情報
等の各種の情報(電気信号)を電気／光変換モジュール１３２に与える。電気／光変換モジュール１３２は電気／光変換により光信号に変換された情報(ＯＳＣ光信号)を合波カプラ１４に与える。
【００４７】
合波カプラ１４は、送信光増幅器１２から受信するＷＤＭ光信号と、送信ＯＳＣ部１３から受信するＯＳＣ光信号(ＷＤＭ信号と波長が異なる)とを合波して光ファイバに送出する。
【００４８】
一方、分波カプラ１５は、光ファイバから受信する光信号をＷＤＭ光信号とＯＳＣ光信号とに分離し、ＷＤＭ光信号を受信光増幅器１６に与え、ＯＳＣ光信号を受信ＯＳＣ部１７に与える。
【００４９】
受信ＯＳＣ部１７は、光／電気変換モジュール(O/E Mod.)１７１と、制御回路１７２とを有している。制御回路１７２は、光／電気変換モジュール１７１で電気信号に変換された情報を受け取り、この情報に基づいて必要な処理を行う。受信光増幅器１６は、分波カプラ１５から出力される光信号を光増幅してクロスコネクト部１１の分離部１９Ａに与える。
【００５０】
以上説明した光送受信装置１０の構成は、図２Ｂに示した光送受信装置２０の構成にそのまま当てはめることができる。このため、光送受信装置２０の構成要素の説明は省略する。
【００５１】
また、図２Ａにおいて、各ＮＥ１及び２は、光送受信装置１０と同様の構成要素を有している。即ち、クロスコネクト部２１(スイッチ２８、多重部２９及び３９、並びに分離
部３０及び４０を含む)と、光送受信装置１０から光送受信装置２０への光信号の中継に
係る送信光増幅器２２(ＴＡ−２又はＴＡ−３)と、送信ＯＳＣ部２３(制御回路２３１及
び光／電気変換モジュール２３２を含む)と、合波カプラ２４と、分波カプラ２５と、受
信光増幅器２６(ＲＡ−２又はＲＡ−３)と、受信ＯＳＣ部２７(光／電気変換モジュール
２７１及び制御回路２７２を含む)とを備えている。さらに、各ＮＥ１及び２は、光送受
信装置２０から光送受信装置１０への光信号の中継に係る送信光増幅器３２(ＴＡ−５又
はＴＡ−６)と、送信ＯＳＣ部３３(制御回路３３１及び電気／光モジュール３３２を含む)と、合波カプラ３４と、分波カプラ３５，受信光増幅器３６(ＲＡ−５又はＲＡ−６)と
、受信ＯＳＣ部３７(光／電気変換モジュール３７１及び制御回路３７２を含む)とを備えている。
【００５２】
また、図２Ｂにおける各ＮＥ３〜５の夫々は、上述した各ＮＥ１及び２の構成と同様の構成を備えている。このため、説明は省略する。このような構成により、各光送受信装置
１０及び２０は、光信号の伝送において、ＮＥの一つとして機能することが可能であり、ＮＥと見なすことができる。
【００５３】
〈伝送ルート決定方法〉
次に、本発明によるＷＤＭ光信号の伝送ルートの決定方法の実施形態について、図１,
図２Ａ及び図２Ｂに示した光多重伝送システムを例に説明する。上記した光多重伝送システムにおいて、例えば、光送受信装置１０を情報の送信側と仮定し、光送受信装置２０を情報の受信側と仮定した場合において、光送受信装置１０から光送受信装置２０へ情報を伝送する場合には、上記した第１及び第２のルートの一方を選択することができる。
【００５４】
本発明では、次の方式により伝送ルートを決定する。
〈１〉伝送ルートの各区間で使用されている波長成分の数が最も少ないルートを選択する(第１の伝送ルート決定方法)。
〈２〉伝送ルート上の中継装置の数(中継ＮＥ数)が最も少ないルートを選択する(第２の
伝送ルート決定方法)。
〈３〉伝送距離が最も短いルートを選択する(第３の伝送ルート決定方法)。
以下、第１〜第３の伝送ルート決定方法について説明する。
【００５５】
《第１の伝送ルート決定方法》
第１の伝送ルート決定方法の実施形態を図３〜図５を用いて説明する。第１の伝送ルート決定方法では、各伝送ルートの各区間で使用されている波長成分の数を夫々求め、その数が最も少ないルートを選択する。
【００５６】
図１に示す例では、例えば、光送受信装置１０から光送受信装置２０へ光信号を伝送する伝送ルートとして、第１及び第２の送信ルートが存在する。第１の送信ルートは、伝送ルートの各区間として、光送受信装置１０−ＮＥ１間(以下、「第１区間」と称する)，ＮＥ１−ＮＥ２間(以下、「第２区間」と称する)，及びＮＥ２−光送受信装置２０間(以下
、「第３区間」と称する)を持つ。一方、第２の送信ルートは、伝送ルートの各区間とし
て、光送受信装置１０−ＮＥ３間(以下、「第４区間」と称する)，ＮＥ３−ＮＥ４間(以
下、「第５区間」と称する)，ＮＥ４−ＮＥ５間(以下、「第６区間」と称する)，及びＮ
Ｅ５−光送受信装置２０間(以下、「第７区間」と称する)を持つ。
【００５７】
光送受信装置１０及び２０，並びに各ＮＥ１〜５は、第１の伝送ルート決定方法を実現するため、図３及び図４に示すような構成を持つ。図３は、各ＮＥ１〜５及び光送受信装置２０に搭載される機能を示すブロック図であり、図４は、光送受信装置１０に搭載される機能を示すブロック図である。
【００５８】
図３に示すように、各ＮＥ１〜５及び光送受信装置２０は、その前段に位置するノード(光送受信装置１０又は他のＮＥ)との間の区間でＷＤＭ光信号の伝送に使用されている波長成分(λ(１)〜λ(ｎ))の使用状態を管理する使用状態管理部５１と、各波長成分の使用状態を示す情報を格納する使用状態格納部５２と、使用波長成分の数の問い合わせの受信処理を行う受信処理部５３と、使用状態格納部に格納された情報から状態情報を生成する状態情報生成部５４と、状態情報を含む応答を問い合わせ元に送信する処理を行う応答送信処理部５５とを備えることができる。
【００５９】
各光送受信装置１０及び２０,並びに各ＮＥ１〜５は、各区間において、１回線につき
一つの波長成分を割り当てるように構成されている。使用状態格納部５２は、該当区間における各波長成分の使用状態(使用／未使用)を示すテーブル５２Ａを格納している。
【００６０】
使用状態管理部５１は、回線の設定／解除(波長成分の割当／割当解除)に応じてその設
定／解除に係る波長成分を示す情報を回線設定部(図示せず)から受け取り、上記テーブルにおける該当波長成分の使用状態を更新する。
【００６１】
受信処理部５３は、問い合わせ元からの使用波長数の問い合わせを受信すると、この問い合わせを状態情報生成部５４に渡す。
【００６２】
状態情報生成部５４は、テーブル５２Ａの内容から状態情報を生成する。例えば、状態情報生成部５４は、状態が「使用」の波長成分の数(使用波長数)を求め、この使用波長数を状態情報として応答送信処理部５５に渡す。応答送信処理部５５は、使用波長数を含む応答を生成し、問い合わせ元へ送信する。
【００６３】
一方、図４に示すように、光送受信装置１０は、問い合わせの送信処理を行う問い合わせ送信処理部５６と、問い合わせに対する応答の受信処理を行う応答受信処理部５７と、伝送ルート毎に使用波長成分数の合計値(「総使用波長数」と称する)を求める総使用波長数算出部５８と、伝送ルート毎の総使用波長数を用いて伝送ルートを決定するルート決定部５９とを備えることができる。
【００６４】
問い合わせ送信処理部５６は、例えば、光送受信装置１０−２０間に対する新規の回線の追加要求が与えられることにより起動し、各区間の使用波長数の問い合わせを問い合わせ先(ＮＥ１〜５,光送受信装置２０)に送信する。
【００６５】
応答受信処理部５７は、問い合わせ先(ＮＥ１〜５，光送受信装置２０)からの応答を受信すると、これに含まれている使用波長数を総使用波長数算出部５８に渡す。
【００６６】
総使用波長数算出部５８は、各区間の使用波長数を受け取り、伝送ルート毎に使用波長数を加算して伝送ルート毎の総使用波長数を求め、ルート決定部５９に渡す。
【００６７】
ルート決定部５９は、総使用波長数を比較し、総使用波長数が最も小さい伝送ルートを追加対象の回線に適用する伝送ルートとして決定する。
【００６８】
その後、決定された伝送ルートの各区間で使用される波長成分が、各区間での未使用状態の波長成分の中から夫々決定される。このとき、可能な限り同一の波長成分が使用される構成を適用するのが好ましい。或いは、可能な限り連続する区間で同じ波長成分が使用される(伝送ルートの始点から終点までにおける波長成分の変更箇所が可能な限り少なく
なる)ように、各区間の波長成分が選択される構成を適用するのが好ましい。或いは、各
区間において、その区間を伝送されるＷＤＭ光信号に含まれる各波長成分の伝送特性が最も良好となるときの波長成分が選択されるように構成しても良い。
【００６９】
そして、決定された伝送ルート上に位置するＮＥ及び光送受信装置２０に対し、各区間の回線設定の指示が与えられる。
【００７０】
上述した問い合わせは、問い合わせ送信処理部５６から光送受信装置１０の各送信ＯＳＣ部(図２Ａ：１３−１及び１３−２)を経てＯＳＣ光信号に含められ、第１及び第２の送信ルートを通って各ＮＥ１〜５及び光送受信装置２０に与えられる。各ＮＥ１〜５及び光送受信装置２０では、問い合わせは各受信ＯＳＣ部(図２Ａ及び図２Ｂ：各ＮＥ１〜５の
２７，光送受信装置２０の１７)を経て受信処理部５３に与えられ、上述した処理が行わ
れる。
【００７１】
応答は、各ＮＥ１〜５及び光送受信装置２０の応答送信処理部５５から送信ＯＳＣ部(
図２Ａ及び図２Ｂ；光送受信装置２０の１７−１及び１７−２，各ＮＥ１〜５の３３)を
経てＯＳＣ光信号に含められ、第１及び第２の受信ルートを経て光送受信装置１０で受信され、各受信ＯＳＣ部(図２Ａ：光送受信装置１０の１３−１及び１３−２)を介して応答受信処理部５７に与えられる。
【００７２】
問い合わせ及び応答のやりとりは、問い合わせ元と問い合わせ先との１対１通信により行われるように構成しても良い。或いは、各ＮＥ(光送受信装置２０を含む)におけるＯＳＣ光信号のドロップイン及びドロップアウト処理により、各伝送ルート毎の問い合わせが第１又は第２の送信ルートと第１又は第２の受信ルートとの組み合わせにより構成されるリング上を一回りし、その間に各ＮＥで問い合わせに応答が付加され、応答受信処理部５７が応答が付加された伝送ルート毎の問い合わせを受け取るように構成しても良い。
【００７３】
ルート決定部５９で決定された伝送ルートの各区間の波長成分の決定は、上記した問い合わせと応答とのやりとりにおいて当該決定に必要な情報を問い合わせ元が収集するように構成することができる。
【００７４】
例えば、状態情報生成部５４で、使用波長数とともに未使用の波長成分の識別情報を含む状態情報が生成され、この状態情報を含む応答が問い合わせ元に返信されるように構成する。この場合には、応答に含まれた未使用の波長成分の識別情報を用いて、各区間の波長成分を決定することができる。これにより、各区間の未使用の波長成分を別途問い合わせる必要がなくなる。
【００７５】
或いは、テーブル５２Ａの内容そのものを状態情報として含む応答が問い合わせ元に返信されるように構成する。この場合には、各区間の使用波長数が問い合わせ側で算出される構成となる。また、各区間のテーブル５２Ａの内容から各区間で未使用の波長成分を特定することができる。
【００７６】
さらに、伝送ルートの決定にフィルタを設定することができる。例えば、特定の又は任意の区間における使用波長数が予め設定された閾値を越えていることをフィルタ条件として設定し、このフィルタ条件に合致する(使用波長数が閾値を越える区間を持つ)伝送ルートが選択対象の伝送ルートから外されるように構成することができる。これにより、その区間に新たな回線が設定されることによる負荷の増大を抑えることができる。
【００７７】
この場合、例えば、図４における応答受信処理部５７と総使用波長数算出部５８との間にフィルタ処理部を設け、フィルタ処理部が除外対象の伝送ルートに係る使用波長数を総使用波長数算出部５８に与えないように構成される。或いは、特定の又は全ての問い合わせ先に夫々フィルタ条件が設定され、問い合わせ先でフィルタ条件に合致するか否かの判定が行われ、その結果が問い合わせ元に送信され、当該伝送ルートが除外されるように構成しても良い。この場合、状態情報生成部が使用波長数の代わりにフィルタ条件に合致することを示す情報を状態情報として生成するように構成することができる。
【００７８】
図５は、第１の伝送ルート決定方法の作用説明図である。図５に示す例では、第１の送信ルートを構成する第１区間の使用波長数が３であり、第２区間の使用波長数が２であり、第３区間の使用波長数が２である。一方、第２の送信ルートを構成する第４区間の使用波長数が４であり、第５区間の使用波長数が４であり、第６区間の使用波長数が３であり、第７区間の使用波長数が３である。この場合、第１の送信ルートの総使用波長数は７であり、第２の送信ルートの総使用波長数は１４であるので、第１の送信ルートが追加対象の回線(光送受信装置１０−２０間)に適用されるルートとして決定される。
【００７９】
但し、或る区間にフィルタ条件が設定されている場合、例えば、第２区間における使用波長数の閾値が１０に設定されている場合において、第２区間の使用波長数が１０を越え
る場合には、第２の送信ルートの総使用波長数が第１の送信ルートの総使用波長数を上回っている場合でも、第２の送信ルートが選択される。
【００８０】
なお、ルート決定において、複数の最も少ない総使用波長数がある場合には、所定の優先順位に従って、１つの伝送ルートが選択される。
【００８１】
なお、光送受信装置２０が図４に示したような問い合わせ元としての構成を備え、且つ光送受信装置１０が図３に示したような問い合わせ先としての構成を備え、光送受信装置２０から光送受信装置１０への伝送ルートが決定されるように構成することができる。
【００８２】
また、上述した例では、光送受信装置１０で伝送ルートが決定される例について説明した。これに対し、ネットワーク管理装置３０が各伝送ルート上のＮＥ(光送受信装置を含
む)に使用波長数を問い合わせ、伝送ルートを決定するように構成することも可能である
。また、上述した問い合わせ元で持つ機能を送信側の光送受信装置とネットワーク管理装置との連携により実現することもできる。
【００８３】
図３及び図４に示したような第１の伝送ルート決定方法に係る機能は、例えば、ＣＰＵのようなプロセッサが所定のプログラムを実行するソフトウェア処理，専用チップを用いたハードウェア処理，或いはソフトウェア処理とハードウェア処理との組み合わせにより実現することができる。このことは、後述する第２及び第３の伝送ルート決定方法，回線の区間毎の使用波長決定方法，並びに回線の伝送特性の補正(調整)方法においても同様である。
【００８４】
《第２の伝送ルート決定方法》
次に、第２の伝送ルート決定方法を、図６〜図８を用いて説明する。第２の伝送ルート決定方法では、伝送ルート上の中継装置(中継局)の数(中継ＮＥ数)が最も少ないルートが選択される。
【００８５】
光送受信装置１０及び２０，並びに各ＮＥ１〜５は、第２の伝送ルート決定方法を実現するため、図６及び図７に示すような構成を持つ。図６は、各ＮＥ１〜５に搭載される機能を示すブロック図であり、図７は、光送受信装置１０に搭載される機能を示すブロック図である。
【００８６】
図６に示すように、問い合わせ先の各ＮＥ１〜５は、中継ＮＥ数の問い合わせの受信処理を行う受信処理部６０と、問い合わせ中に含まれているホップ数を制御するホップ数制御部６１と、問い合わせの転送処理を行う転送処理部６２とを備えることができる。
【００８７】
受信処理部６０は、送信ルート上の受信ＯＳＣ部(各ＮＥ１〜５の２７)で受信されるＯＳＣ光信号に含まれた問い合わせを受け取るように構成される。問い合わせには、ＴＴＬ(Time to Live)のようなホップ数の検出に使用される値(「ホップ数値」と称する)が含まれている。ホップ数制御部６１は、受信処理部６０から問い合わせを受け取ると、そのホップ数値に対して所定の値(例えば１)を加算又は減算する処理を行った後、転送処理部６２に渡す。転送処理部６２は、問い合わせを送信ＯＳＣ部(各ＮＥ１〜５の２３)に渡す。これによって、送信ＯＳＣ部から問い合わせを含むＯＳＣ光信号が送出され、送信ルートの後段に位置する中継局(ＮＥ)に転送される。
【００８８】
このようにして、送信ルート上の中継局(ＮＥ)によるＯＳＣ光信号のドロップイン、ドロップアウト処理によって、問い合わせに含まれたホップ数値は、送信ルート上の中継局(ＮＥ)で所定の数だけ加算又は減算される。そして、問い合わせは、最終的に送信ルートの終点である光送受信装置２０に到達する。光送受信装置２０は、問い合わせを受け取る
と、これを光送受信装置１０宛に第１又は第２の受信ルートで送り返す。
【００８９】
一方、図７に示すように、問い合わせ元としての光送受信装置１０は、例えば、光送受信装置１０から光送受信装置２０への新規の回線の追加要求によって起動し、デフォルト値のホップ数値を含む問い合わせを各送信ルートへ送出する問い合わせの送信処理を行う送信処理部６３と、各送信ルートを経て戻ってきた問い合わせの受信処理を行う受信処理部６４と、受信処理部６４からの問い合わせに含まれたホップ数値とそのデフォルト値との差分に基づいて各送信ルート上の中継局数を算出する中継局数算出部６５と、中継局数算出部６５から送信ルート毎の中継局数を受け取り、これらを対比して、中継局数が最も少ない送信ルートを追加対象の回線に使用すべきルートとして決定するルート決定部６６とを備えることができる。
【００９０】
第１のルート決定方法と同様に、送信処理部６３から出力される問い合わせは、第１及び第２の送信ルートに夫々対応する送信ＯＳＣ部に与えられ、問い合わせを含むＯＳＣ光信号が送信ルート上に送出される。また、受信処理部６４は、第１及び第２の受信ルートに夫々対応する受信ＯＳＣ部で受信されるＯＳＣ光信号に含まれた問い合わせを受け取る。
【００９１】
図８は、第２の伝送ルート決定方法の作用説明図である。図８に示す例では、第１の送信ルートにおける中継局数は２であり、第２の送信ルートにおける中継局数は３である。従って、第１の送信ルートが追加対象の回線(光送受信装置１０→２０間)に適用されるルートとして決定される。なお、ルート決定において、複数の最も少ない中継局数がある場合には、所定の優先順位に従って、１つの伝送ルートが選択される。
【００９２】
その後、決定された伝送ルートの各区間で使用される波長成分が決定され、各ＮＥ(光
送受信装置２０を含む)に対して回線設定指示が与えられ、該当する回線が設定される。
波長成分の決定方法は、第１の伝送ルートの決定方法で説明した方法と同様の方法を適用することができる。
【００９３】
なお、光送受信装置２０が図７に示したような問い合わせ元としての構成を備え、且つ光送受信装置１０が図６に示したような問い合わせ先としての構成を備え、光送受信装置２０から光送受信装置１０への伝送ルートが決定されるように構成することができる。
【００９４】
また、上述した例では、光送受信装置１０で伝送ルートが決定される例について説明した。これに対し、ネットワーク管理装置３０が上記の方法により光送受信装置１０で得られた各伝送ルート上の中継局数を取得し、伝送ルートを決定するように構成することも可能である。
【００９５】
《第３の伝送ルート決定方法》
次に、第３の伝送ルート決定方法を図９〜図１１を用いて説明する。第３の伝送ルート決定方法では、伝送距離が最も短いルートが選択される。
【００９６】
光送受信装置１０及び２０，並びに各ＮＥ１〜５は、第３の伝送ルート決定方法を実現するため、図９及び図１０に示すような構成を持つ。図９は、各ＮＥ１〜５及び光送受信装置２０に搭載される機能を示すブロック図であり、図１０は、光送受信装置１０に搭載される機能を示すブロック図である。
【００９７】
図９に示すように、各ＮＥ１〜５及び光送受信装置２０は、その前段に位置するノード(光送受信装置１０又は他のＮＥ)との間の区間の伝送距離を示す情報を格納する伝送距離格納部６７と、伝送距離の問い合わせの受信処理を行う受信処理部６８と、伝送距離格納
部６７に格納された情報から状態情報を生成する状態情報生成部６９と、状態情報を含む応答を問い合わせ元に送信する処理を行う応答送信処理部７０とを備えることができる。
【００９８】
伝送距離格納部６７は、区間毎の伝送距離を示すテーブル(図示せず)を格納している。受信処理部６８は、問い合わせ元からの伝送距離の問い合わせを受信すると、この問い合わせを状態情報生成部６９に渡す。
【００９９】
状態情報生成部６９は、テーブルの内容から状態情報を生成する。例えば、状態情報生成部６９は、問い合わせに係る区間の伝送距離を伝送距離格納部６７から読み出し、この伝送距離を状態情報として応答送信処理部７０に渡す。応答送信処理部７０は、伝送距離を含む応答を生成し、問い合わせ元へ送信する。
【０１００】
一方、図１０に示すように、光送受信装置１０は、問い合わせの送信処理を行う問い合わせ送信処理部７１と、問い合わせに対する応答の受信処理を行う応答受信処理部７２と、伝送ルート毎に伝送距離の合計値(「総伝送距離」と称する)を求める総伝送距離算出部７３と、伝送ルート毎の総伝送距離を用いて伝送ルートを決定するルート決定部７４とを備えることができる。
【０１０１】
問い合わせ送信処理部７１、例えば、光送受信装置１０−２０間に対する新規の回線の追加要求が与えられることにより起動し、各区間の伝送距離の問い合わせを問い合わせ先(ＮＥ１〜５,光送受信装置２０)に送信する。
【０１０２】
応答受信処理部７２は、問い合わせ先(ＮＥ１〜５，光送受信装置２０)からの応答を受信すると、これに含まれている伝送距離を総伝送距離算出部７３に渡す。
【０１０３】
総伝送距離算出部７３は、各区間の伝送距離を受け取り、伝送ルート毎に伝送距離を加算して伝送ルート毎の総伝送距離を求め、ルート決定部７４に渡す。
【０１０４】
ルート決定部７４は、総伝送距離を比較し、総伝送距離が最も短い伝送ルートを追加対象の回線に適用する伝送ルートとして決定する。
【０１０５】
その後、決定された伝送ルートの各区間で使用される波長成分が、各区間での未使用状態の波長成分の中から夫々決定される。この場合における各区間の波長成分の決定方法は、第１の伝送ルート決定方法で説明した様々な方法を適用することができる。
【０１０６】
そして、決定された伝送ルート上に位置するＮＥ及び光送受信装置２０に対し、各区間の回線設定の指示が与えられ、対応する回線の設定処理が行われる。
【０１０７】
上述した問い合わせは、問い合わせ送信処理部７１から光送受信装置１０の各送信ＯＳＣ部を経てＯＳＣ光信号に含められ、第１及び第２の送信ルートを通って各ＮＥ１〜５及び光送受信装置２０に与えられる。各ＮＥ１〜５及び光送受信装置２０では、問い合わせは各受信ＯＳＣ部を経て受信処理部６８に与えられ、上述した処理が行われる。応答は、各ＮＥ１〜５及び光送受信装置２０の応答送信処理部７０から送信ＯＳＣ部を経てＯＳＣ光信号に含められ、第１及び第２の受信ルートを経て光送受信装置１０で受信され、各受信ＯＳＣ部を介して応答受信処理部７２に与えられる。
【０１０８】
第３の伝送ルート決定方法における問い合わせ及び応答のやりとりは、第１の伝送ルート決定方法で説明した様々な方法を適用することができる。また、伝送ルートの各区間の波長成分の決定において、第１の伝送ルート決定方法と同様の方法で、問い合わせと応答とのやりとりにおいて各区間の波長成分の決定に必要な情報を問い合わせ元が収集するよ
うに構成することができる。
【０１０９】
さらに、伝送ルートの決定にフィルタを設定することができる。例えば、特定の又は任意の区間における伝送距離が予め設定された閾値を越えていることをフィルタ条件として設定し、このフィルタ条件に合致する(伝送距離が閾値を越える区間を持つ)伝送ルートが選択対象の伝送ルートから外されるように構成することができる。これにより、その区間に新たな回線が設定されることによる負荷の増大を抑えることができる。フィルタの設定及びフィルタリング処理は、第１の伝送ルート決定方法で説明した様々な手法を適用可能である。
【０１１０】
図１１は、第３の伝送ルート決定方法の作用説明図である。図１１に示す例では、第１の送信ルートを構成する第１区間の伝送距離が１００ｋｍであり、第２区間の伝送距離が１００ｋｍであり、第３区間の伝送距離が１５０ｋｍである。一方、第２の送信ルートを構成する第４区間の伝送距離が５０ｋｍであり、第５区間の伝送距離が５０ｋｍであり、第６区間の伝送距離が１００ｋｍであり、第７区間の伝送距離が５０ｋｍである。この場合、第１の送信ルートの総伝送距離は３５０ｋｍであり、第２の送信ルートの総伝送距離は２５０ｋｍであるので、第２の送信ルートが追加対象の回線(光送受信装置１０−２０
間)に適用されるルートとして決定される。
【０１１１】
なお、ルート決定において、複数の最も少ない総伝送距離がある場合には、所定の優先順位に従って、１つの伝送ルートが選択される。
【０１１２】
なお、光送受信装置２０が図９に示したような問い合わせ元としての構成を備え、且つ光送受信装置１０が図１０に示したような問い合わせ先としての構成を備え、光送受信装置２０から光送受信装置１０への伝送ルートが決定されるように構成することができる。
【０１１３】
また、上述した例では、光送受信装置１０で伝送ルートが決定される例について説明した。これに対し、ネットワーク管理装置３０が各伝送ルート上のＮＥ(光送受信装置を含
む)に伝送距離を問い合わせ、伝送ルートを決定するように構成することも可能である。
また、上述した問い合わせ元で持つ機能を送信側の光送受信装置とネットワーク管理装置との連携により実現することもできる。
【０１１４】
〈回線の区間毎の使用波長決定方法〉
次に、本発明による回線の区間毎の使用波長決定方法の実施形態を説明する。本発明では、光送信装置(伝送ルートの始点)から光受信装置(伝送ルートの終点)との間に１以上の中継装置(ＮＥ)を経由する新たな回線が追加される場合に、この回線に適用されるＷＤＭ光信号の波長成分を伝送ルート上の各区間毎に決定する。
【０１１５】
具体的には、伝送ルートの始点から終点までにおける各区間において、未使用の波長から、当該区間を伝送される光信号の伝送特性が最も良好な状態となる場合の波長を選択することで決定される。伝送特性として次のものを例示できる。
〈１〉信号対雑音比(ＯＳＮＲ)〈第１の使用波長決定方法〉
〈２〉受光パワー〈第２の使用波長決定方法〉
〈３〉ゲインチルト〈第３の使用波長決定方法〉
以下、第１〜第３の使用波長決定方法について説明する。
【０１１６】
《第１の使用波長決定方法》
第１の使用波長決定方法として、伝送ルートの各区間における未使用の波長から、その区間における光信号のＯＳＮＲ特性が最も良好となる場合の波長を選択することで、追加対象の回線に対して適用される波長を決定する方法について説明する。
【０１１７】
第１の使用波長決定方法を実現するため、例えば、光送受信装置１０は図１２に示すような構成を持ち、各ＮＥ１〜５は図１３に示すような構成を持ち、光送受信装置２０は図１４に示すような構成を持つ。図１２は、光送信装置(送信側の光送受信装置１０)に搭載される機能を示すブロック図であり、図１３は、各ＮＥに搭載される機能を示すブロック図であり、図１４は、光受信装置(受信側の光送受信装置２０)に搭載される機能を示すブロック図である。
【０１１８】
図１２に示すように、光送受信装置１０は、使用状態格納部７５と、波長選択用信号送信処理部７６とを備えている。使用状態格納部７５は、ＷＤＭ光信号に適用される各波長成分(λ(１)〜λ(ｎ))の使用状態(使用／未使用)を示す情報を格納している。
【０１１９】
波長選択用信号送信処理部７６は、例えば、光送受信装置１０から光送受信装置２０へ情報を伝送するための回線を新規に追加する場合に入力される回線追加要求によって起動する。
【０１２０】
波長選択用信号送信処理部７６は、追加対象の回線を設定する予定の伝送ルート上における自装置(光送受信装置１０)と直後のＮＥとの間の区間で未使用の波長成分を使用状態格納部７５を参照して特定し、その波長成分の評価用信号(「波長選択用信号」と称する)の送信処理を行う。波長選択用信号送信処理部７６は、未使用の波長成分の全てについて、波長の異なる波長選択用信号を夫々生成し、これらを順次送信する。
【０１２１】
これによって、未使用の各波長成分の光信号がクロスコネクト１１に入力され、ＭＵＸ部で他の波長成分と多重され、送信光増幅器及び合波カプラを介して光ファイバに送出され、光ファイバを介して光送受信装置１０の直後に位置するＮＥに伝送される。
【０１２２】
図１３に示すように、各ＮＥ１〜５は、伝送特性評価部７７と、評価結果送信処理部７８と、波長選択用信号送信処理部７９と、使用状態格納部８０とを備えている。
【０１２３】
各ＮＥ１〜５では、前段の光送受信装置１０又はＮＥから送出される波長選択用信号を含むＷＤＭ光信号(に含まれる各波長成分)が、分波カプラ，受信光装置及びクロスコネクト２１のスイッチ２８を経て伝送特性評価部７７に入力される。
【０１２４】
伝送特性評価部７７は、該当する区間の光信号の伝送特性として、その信号対雑音比(
ＯＳＮＲ)を測定し、その結果を評価結果として評価結果送信処理部７８へ渡す。このと
き、波長選択用信号のみの伝送特性を評価対象としても良く、波長選択用信号の波長成分を含む当該区間のＷＤＭ光信号に含まれる各波長成分の伝送特性を全体的に評価の対象としても良い。伝送特性評価部７７は、予め定められた範囲を評価対象として、送信側から順次送信されてくる、波長の異なる波長選択用信号を含む当該区間の光信号の伝送特性の測定・評価を行う。
【０１２５】
評価結果送信処理部７８は、伝送特性の評価結果を示す情報を光送受信装置１０宛に送信する処理を行う。評価結果を示す情報は、例えば、ＯＳＣ光信号に含められて、光送受信装置１０まで転送することができる。
【０１２６】
波長選択用信号送信処理部７９は、伝送ルート上の次の区間(自装置と次のＮＥとの間
の区間)において未使用の波長成分を使用状態格納部８０に格納されている各波長成分の
使用状態(使用／未使用)から特定し、未使用の波長成分の光信号(波長選択用信号)を、未使用の波長成分毎に出力する。
【０１２７】
これによって、波長選択用信号が多重されたＷＤＭ信号がクロスコネクト２１から光増幅器２２を経て光ファイバに送出され、次のＮＥ又は光送受信装置２０へ伝送される。図１４に示すように、光送受信装置２０は、各ＮＥに搭載されている伝送特性評価部７７及び評価結果送信処理部７８と同様の第１伝送特性評価部８１及び評価結果送信処理部８２を備えている。
【０１２８】
以上のような構成により、追加対象の回線を設定可能な伝送ルート上の各区間の送信側と受信側との間で、その区間で未使用の波長成分の光信号が波長選択用信号として未使用の波長成分毎に送受信される。そして、受信側で波長選択用信号の波長成分、又は波長選択用信号の波長成分を含む当該区間の各波長成分の伝送特性が夫々評価され、その評価結果が光送受信装置１０に与えられる。
【０１２９】
光送受信装置１０は、図１２に示すように、各区間の未使用の波長成分毎の評価結果を受信する評価結果受信処理部８３と、評価結果受信処理部８３から評価結果を受け取り、評価結果が最も良好な波長成分を当該区間で使用する波長成分として決定する波長決定部８４とを備える。第１の波長選択方法では、波長決定部８４は、各区間における未使用の波長成分の中からＯＳＮＲ特性が最も良い波長成分を選択する。
【０１３０】
但し、或る区間において、複数の波長成分についてほぼ同一の伝送特性が得られた場合には、例えば、可能な限り他の区間で選択された波長成分と同一の波長成分が選択されるように構成される。また、各区間において、可能な限り同一の波長成分が選択されるように構成することができる。或いは、伝送ルートの始点から終点までにおける波長成分の変更が可能な限り起こらないように各区間の波長成分を選択するように構成することも可能である。
【０１３１】
上記方法では、波長成分が異なる波長選択用信号が各区間の送信側と受信側とで順次送受信される。この場合、送信側と受信側とが予め設定されている送受信タイミングに従って同期をとって波長選択用信号を送受信するように構成することができる。或いは、送信側が次の波長選択用信号の送信許可を受信側から受け取って次の波長選択用信号を送信するように構成することができる。
【０１３２】
本発明では、光送信装置と光受信装置との間に追加対象の回線を設定可能な複数の伝送ルート(図１,図２Ａ及び２Ｂに示す例では、第１及び第２の送信ルート)がある場合には
、次の構成を適用することができる。
【０１３３】
即ち、伝送ルート毎に各区間の波長が決定される。次に、決定された波長成分で伝送ルート毎に試験用の回線を伝送ルートの始点(光送受信装置１０)−終点(光送受信装置２０)間に夫々設定する。次に、始点−終点間で試験用の回線を用いた信号(ルート決定用信号)の伝送を行う。次に、終点で各ルートから受信されるルート決定用信号の波長成分、又はこのルート決定用信号の波長成分を含むＷＤＭ光信号に含まれた各波長成分の伝送特性(
ここでは、ＯＳＮＲ)を評価し、伝送特性が最も良好な伝送ルートを追加対象の回線に適
用される伝送ルートとして決定し、この決定結果を始点に通知する。そして、始点では、決定結果に従って、回線の追加処理を行う。
【０１３４】
このため、図１２に示すように、光送受信装置１０(伝送ルートの始点)は、回線設定指示部８５と、ルート決定用信号送信処理部８６と、決定結果受信処理部８７とを備えている。また、図１４に示すように、光送受信装置２０(伝送ルートの終点)は、第２伝送特性評価部８８と、ルート決定部８９と、決定結果送信処理部９０とを備えている。
【０１３５】
図１２において、回線設定指示部８５は、波長決定部８４から、伝送ルート毎に、各区
間で使用される波長成分の決定結果を受け取るように構成されている。回線設定指示部８５は、伝送ルート上の各ＮＥ及び光送受信装置２０に対し、試験用の回線の設定指示を与える。これによって、伝送ルート上には、各区間で決定された波長成分の光信号を伝送するための試験用の回線が設定される。
【０１３６】
回線設定指示部８５は、設定指示に対する試験用の回線設定の終了通知を受け取ると、ルート決定用信号送信処理部８６に、ルート決定用信号の送信指示を与える。ルート決定用信号送信処理部８６は、送信指示を受け取ると、各伝送ルートの最初の区間(例えば、
第１の送信ルートにおける第１区間、第２の送信ルートにおける第４区間)に対して夫々
決定された波長成分の光信号をルート決定信号として出力する。
【０１３７】
ルート決定信号は、クロスコネクト部１１から各伝送ルート(第１及び第２の送信ルー
ト)に送出される。ルート決定信号を受信したＮＥは、次の区間で使用される波長が前の
区間の波長と異なる場合には、例えば、ルート決定信号を一旦電気信号に変換し、再び次の区間で使用される波長の光信号に変換して次の区間の受信側に転送する。
【０１３８】
このようにして、ルート決定信号は、各伝送ルートを経て、最終的に光送受信装置２０に到達し、図１４に示す第２伝送特性評価部８８に入力される。第２伝送特性評価部８８は、伝送ルート毎に、ルート決定信号の波長成分、又はルート決定信号の波長成分を含む受信ＷＤＭ光信号の各波長成分(ここでは、ＯＳＮＲ)を測定、評価する。そして、各伝送ルートに対する評価結果をルート決定部に渡す。
【０１３９】
ルート決定部８９は、伝送ルート毎の評価結果を第２伝送特性評価部８８から受け取り、最も伝送特性(ＯＳＮＲ)が良い伝送ルートを、追加対象の回線に適用される伝送ルートとして決定する。決定結果送信処理部９０は、伝送ルートの決定結果をルート決定部から受け取り、これを光送受信装置１０へ通知する。
【０１４０】
図１２に示す決定結果受信処理部８７は、光送受信装置２０からの決定結果を受け取ると、この決定結果を回線設定指示部８５に渡す。回線設定指示部８５は、決定結果で特定される伝送ルートを、追加対象の回線に適用するために必要な回線設定指示を作成し、当該伝送ルート上の各ＮＥ及び光送受信装置２０に与える。このようにして、新規の回線が光送受信装置１０−２０間に追加される。
【０１４１】
追加された回線は、例えば、図２２に示すようなネットワーク構成において、送信端末と受信端末との間で送受信される情報を光送信装置(光送受信装置１０)−光受信装置(光
送受信装置２０)間を経由して伝送する場合に使用される。
【０１４２】
図１５は、各区間の光信号の伝送特性に基づく波長決定方法、及びこれに基づくルート決定方法の作用説明図である。図１５には、各区間(第１〜第７の区間)においてＯＳＮＲ特性が最も良好な波長が夫々例示されている。この例では、第１区間に対して波長λ(１)が選択され、第２区間に対してλ(２)が選択され、第３区間に対してλ(１)が選択されている。また、第４区間に対してλ(３)が選択され、第５区間に対してλ(４)が選択され、第６区間に対してλ(５)が選択され、第７区間に対してλ(６)が選択されている
そして、このような波長の選択結果に基づいて設定される試験用の回線を通じてルート決定用信号が第１及び第２の送信ルートを通じて光送受信装置１０から光送受信装置２０まで伝送される。光送受信装置２０は、第１及び第２送信ルート間でルート決定用信号に係るＯＳＮＲ特性を比較し、どちらのＯＳＮＲ特性が優れているかを求めて、光送受信装置１０に通知する。光送受信装置１０は、優れていると通知を受けた方の伝送ルート(第
１及び第２の送信ルートの一方)を、追加対象の回線に適用する。
【０１４３】
《第２の使用波長決定方法》
第２の使用波長決定方法として、伝送ルートの各区間における未使用の波長成分から、その区間における受光パワーが最も良いものを選択することで、追加対象の回線に対して適用される波長成分を決定する方法について説明する。
【０１４４】
第２の使用波長決定方法を実現するため、第１の使用波長決定方法と同様に、例えば、光送受信装置１０は図１２に示すような構成を持ち、各ＮＥ１〜５は図１３に示すような構成を持ち、光送受信装置２０は図１４に示すような構成を持つことができる。
【０１４５】
但し、伝送特性評価部７７(図１３)及び第１伝送特性評価部８１(図１４)の夫々は、波長選択用信号(未使用の波長成分)に係る伝送特性として、その受光パワーを測定し、その結果を評価結果として評価結果送信処理部７８(８２)へ渡す。このとき、波長選択用信号のみの受光パワーを評価対象としても良く、波長選択用信号の波長成分を含む当該区間で使用されている各波長成分の各受光パワーを全体的に評価の対象としても良い。伝送特性評価部７７は、予め定められた範囲を評価対象として、送信側から順次送信されてくる、未使用の各波長成分に係る伝送特性の測定・評価を行う。
【０１４６】
このように、第２の使用波長決定方法は、対象となる伝送特性が受光パワーである点を除き、方法自体及びその方法を実現するための構成は第１の使用波長決定方法とほぼ同様である(図１２〜図１５参照)。
【０１４７】
《第３の使用波長決定方法》
第３の使用波長決定方法として、伝送ルートの各区間における未使用の波長成分から、その区間におけるゲインチルトが最も良いものを選択することで、追加対象の回線に対して適用される波長成分を決定する方法について説明する。
【０１４８】
第３の使用波長決定方法を実現するため、第１の使用波長決定方法と同様に、例えば、光送受信装置１０は図１２に示すような構成を持ち、各ＮＥ１〜５は図１３に示すような構成を持ち、光送受信装置２０は図１４に示すような構成を持つことができる。
【０１４９】
但し、伝送特性評価部７７(図１３)及び第１伝送特性評価部８１(図１４)の夫々は、波長選択用信号(未使用の波長成分)に係る伝送特性として、ゲインチルトの測定を行う。ゲインチルトとは光のパワーを波長毎に並べたときのパワーの傾きを指す。伝送特性評価部７７及び第１伝送特性評価部８１は、波長選択用信号の波長成分を含む当該区間で使用されている(送受信されている)各波長成分の各受光パワーを測定するスペクトラムアナライザを含んでおり、このスペクトラムアナライザの測定結果を元にゲインチルトを測定する。伝送特性評価部７７(８１)は、送信側から順次送信されてくる、未使用の各波長成分に係る伝送特性(ゲインチルト)の測定・評価を行う。そして、ゲインチルトがなるべくフラットな特性を示す場合の波長が未使用の波長の中から選択されるように構成する。
【０１５０】
このように、第３の使用波長決定方法は、対象となる伝送特性がゲインチルトである点を除き、方法自体及びその方法を実現するための構成は第１の使用波長決定方法とほぼ同様である(図１２〜図１５参照)。
【０１５１】
〈追加回線の光信号の伝送特性の補正方法〉
次に、本発明による追加回線の光信号の伝送特性の補正方法の実施形態について説明する。上述したように、光送信装置−光受信装置間で新規の回線が追加される場合には、伝送ルート上の各区間の未使用の波長から最適波長が特定され、この最適波長を用いて当該回線が設定される。その後、回線が追加された結果、他の回線(波長成分)の光信号の伝送特性が劣化した場合には、その劣化が解消されるような伝送特性の補正又は調整を行う。
【０１５２】
このため、光受信装置(例えば、光送受信装置２０)は、図１６に示すような構成を備えることができる。図１６は、光受信装置が備える機能を示すブロック図である。光受信装置は、伝送特性監視部８８と、伝送特性情報格納部８９と、伝送特性評価部と、通知／指示部９１とを備えることができる。
【０１５３】
伝送特性監視部８８は、光信号の特定の伝送特性を監視している。伝送特性として、ＯＳＮＲ特性、受光パワー、ゲインチルト等を例示することができる。伝送特性監視部８８は、光送信装置−光受信装置間で新規の回線が一つ追加される場合に、追加前の直前の伝送特性を示す情報を伝送特性情報格納部８９に格納する。伝送特性監視部８８は、光受信装置で回線の追加動作が行われる場合に、そのことを示す情報又は信号を受け取るように構成されることで、上述した情報の格納動作を行うことができる。
【０１５４】
上述した新規回線の追加動作により、図１７に示すような光送信装置−光受信装置間への回線の追加が行われた場合を想定する。図１７には、光送信装置(光送受信装置１０)と光受信装置(光送受信装置２０)との間の第１の伝送ルート上に、既に二つの回線が設定されている場合において、１つの回線が追加されたときの状態が示されている。
【０１５５】
図１７では、第１の伝送ルート上における第４〜７区間の夫々においてλ(２)の波長を使用する第１の既存回線と、第４〜７区間の夫々でλ(８)の波長を使用する第２の既存回線とが設定されている。この場合に、上述したような本発明に係る回線の設定方法により、第４〜７区間の夫々においてλ(３),λ(４),λ(５),λ(６)を夫々使用する回線(「新規回線」と称する)が追加されたと仮定する。
【０１５６】
この場合、光送受信装置２０は、新規回線が追加される前では、第２の伝送ルートから第１及び第２の既存回線に係るλ(２)及びλ(８)の各波長の光信号を受信する。そして、新規回線が追加される前(例えば直前)に、伝送特性監視部８８は、伝送特性情報格納部８９に、λ(２)及びλ(８)の光信号の伝送特性を示す情報を格納する。
【０１５７】
その後、新規回線が追加されると、光送受信装置２０は、λ(２)及びλ(８)の光信号とともに、新規回線に係るλ(６)の光信号を受信する状態となる。図１６に示す伝送特性対比部９０は、新規回線が追加された後の伝送特性を測定し、伝送特性情報格納部８９に格納されている情報(新規回線追加前の伝送特性)と対比し、伝送特性が新規回線の追加によって劣化しているか否かを判定し、劣化している場合には、通知／指示部９１に伝送特性の劣化を通知する。
【０１５８】
通知／指示部９１は、光送信装置(光送受信装置１０)に対し、伝送特性の劣化の調整指示を通知する。光送受信装置１０は、通知を受け取ると、伝送特性の劣化を解消するための指示を伝送ルート上の各ＮＥに与える。
【０１５９】
或いは、通知／指示部９１は、伝送特性の劣化を解消するための指示に係る信号(指示
信号)を出力するように構成することもできる。この場合、指示信号は、その宛先に該当
する光送受信装置２０の内部回路に与えられる。或いは、指示信号は、ＯＳＣ信号として、光送受信装置１０及び／又は伝送ルート上のＮＥに与えられる。指示信号の受信先では、伝送特性を補正するための動作が行われる。
【０１６０】
伝送特性評価部９０及び通知／指示部９１は、フィードバックループの一部を構成し、新規回線が追加された後の伝送特性の劣化が解消されたと認められるまで、上述した比較及び評価の動作と、通知又は指示信号の出力動作とを繰り返し行う。
【０１６１】
例えば、評価対象の伝送特性がＯＳＮＲであり、伝送特性評価部９０において、新規回線の追加によりＯＳＮＲ特性の劣化が認められる場合には、通知部９１が光送受信装置１０に劣化の通知を与える。すると、光送受信装置１０がＯＳＮＲ特性の劣化を解消するための指示を少なくとも１つのＮＥに与え、ＯＳＮＲを補正する。ＯＳＮＲの補正は、ＯＳＮＲの劣化に係る特定の波長の光のパワーを調整したり、ＷＤＭ光信号の送信又は受信光増幅器のゲインを調整したりすることで行われる。
【０１６２】
或いは、光送受信装置２０内部において、ＯＳＮＲが劣化している波長の光のパワーを調整したり、受信光増幅器(Ｒ−１１)で当該伝送ルート上の全ての波長(λ(２),λ(８)及びλ(６))のゲインを調整したりすることで、ＯＳＮＲ特性を補正(調整)する。
【０１６３】
或いは、ＯＳＮＲ特性の補正の指示信号(ＯＳＣ信号)をＮＥ５にフィードバックし、ＮＥ５にてＯＳＮＲが劣化している波長のパワー調整や全波長(λ(２),λ(８)及びλ(６))
の調整(光送受信装置２０への送信信号の調整)が行われるように構成することもできる。このとき、ＯＳＮＲの劣化が補正できる限り、フィードバック先は、伝送ルート(第２の
送信ルート)上のＮＥ５以外のＮＥや光送受信装置１０であっても良い。
【０１６４】
また、評価対象の伝送特性が受光パワーである場合において、図１８に示すように、新規回線の波長(λ(６))が追加されることによって、第１及び第２の既存回線の各波長(λ(２)及びλ(８))の受光パワーが低下することがある。この場合、伝送特性評価部９０及び通知／指示部９１は、各波長の受光パワーが図１９に示すような適正な値(良好な状態)になるように、光送受信装置１０に受光パワーの劣化を通知したり、所定の宛先へ指示信号を送出したりする。
【０１６５】
また、評価対象の伝送特性がゲインチルトである場合において、図２０において、新規回線の波長(λ(６))が追加されることによって、ゲインチルトが劣化(或る波長(ここではλ(６))のパワーが他の波長よりも突出した状態)することがある。この場合、伝送特性評価部９０及び通知／指示部９１は、ゲインチルトが図２１に示すようなフラットな状態となるように、光送受信装置１０に調整指示を通知したり、所定の宛先に対する指示信号を出力したりする。
【０１６６】
以上のようにして、新規回線が追加された場合の光信号の伝送特性を評価し、伝送特性が劣化している場合には、その劣化が解消されるように伝送特性の補正を行う。これによって、新規回線が追加された場合における既存回線への影響を抑えることができる。
【０１６７】
〈実施形態の効果〉
本発明の実施形態によれば、第１〜第３の伝送ルート決定方法により、複数の伝送ルートの中から最適なルートを選択して追加対象の回線に適用することができる。これにより、光信号を伝送ルートの始点−終点間で適正に伝送することができる。
【０１６８】
また、本発明に係る波長選択方法により、伝送ルートの始点−終点間における各区間で最適な波長を選択し、始点−終点間の回線に適用することで、伝送特性の良好な回線を設定することが可能となる。また、回線の設定を柔軟に行うことが可能となる。また、複数の伝送ルートの中から最適なルートを選択することもできる。
【０１６９】
さらに、回線の追加により他の回線の伝送特性に影響が及ぶ場合には、その伝送特性が良好な状態となるように伝送特性の補正を行うこともできる。
【０１７０】
従って、本発明の実施形態によれば、特許文献１に示されたような方式における問題、例えば、同一の空き波長を求めてルートを迂回しなければならないという問題を回避する
ことができる。また、このような迂回を避けるために現在使用中の波長を別波長に切り替えて回避させることで運用中の回線に影響を与えてしまう可能性を解消することもできる。
【０１７１】
さらに、最適ルートに新規回線を追加したことによる他回線への影響を抑えることができる。
【０１７２】
〈その他〉
上述した実施形態では、送信装置，中継装置，受信装置を含む光信号伝送システムにおける伝送ルート決定方法，回線の使用波長決定方法，光信号の伝送特性の補正方法について説明した。但し、これらの方法は、送信装置と受信装置との間に中継装置が存在しない場合でも適用することができる。言い換えれば、これらの方法は、光信号を送受信する二つの伝送装置間(送信装置−中継装置間，中継装置間，中継装置−受信装置間)において適用可能である。
【０１７３】
（付記１）  光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルート上に位置する前記送信装置、１以上の前記中継装置、及び前記受信装置の夫々の間の各区間で使用されている光信号の波長成分の数を伝送ルート毎に取得し、
取得された波長成分の数を伝送ルート間で比較し、
前記比較において波長成分の数が最も少ない伝送ルートを前記回線に適用すべき伝送ルートに決定する
ことを含む光信号の伝送ルート決定方法。（１）
【０１７４】
（付記２）  光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルート上に位置する中継装置の数を伝送ルート毎に取得し、
中継装置の数を伝送ルート間で比較し、
中継装置の数が最も少ない伝送ルートを前記回線に適用すべき伝送ルートとして決定する
ことを含む光信号の伝送ルート決定方法。
【０１７５】
（付記３）  光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定する方法であって、
各伝送ルートの伝送距離を取得し、
伝送距離を伝送ルート間で比較し、
伝送距離が最も短いルートを前記回線に適用すべき伝送ルートとして決定する
ことを含む光信号の伝送ルート決定方法。
【０１７６】
（付記４）  決定された伝送ルート上に位置する前記送信装置，１以上の前記中継装置，及び前記受信装置の夫々の間で使用される、前記回線に適用すべき光信号の波長を夫々
決定する
付記１〜３のいずれかに記載の光信号の伝送ルート決定方法。（２）
【０１７７】
（付記５）  光信号の送信装置と、光信号の受信装置と、前記送信装置から前記受信装置へ伝送される光信号を中継する１以上の中継装置とを含む光信号伝送システムにおいて、前記送信装置と前記受信装置との間に光信号の回線を設定するための方法であって、
前記送信装置と前記中継装置との間，前記中継装置間，及び前記中継装置と前記受信装置との間の区間毎に、前記回線に適用すべき光信号の波長を決定し、
前記決定された区間毎の波長で前記回線を設定するための指示を出力する
ことを含む光信号の回線設定方法。（３）
【０１７８】
（付記６）  区間毎に、その区間における未使用の波長の中から、その波長の当該区間における伝送特性、又はその波長を含む複数の光信号の当該区間における伝送特性が最も良好となるときの波長を選択する
付記５記載の光信号の回線設定方法。（４）
【０１７９】
（付記７）  前記送信装置と前記受信装置との間に１以上の中継装置を夫々経由する複数の伝送ルートが存在する場合に、前記回線について、伝送ルート毎に各区間で適用すべき光信号の波長を決定し、
決定された各区間の波長で各伝送ルートを通じて前記受信装置に到達する光信号の伝送特性が最も良好となるときの伝送ルートを前記回線に適用すべき伝送ルートに決定する
付記５又は６記載の光信号の回線設定方法。（５）
【０１８０】
（付記８）  前記送信装置と前記受信装置との間に或る伝送ルートで新規の回線が追加される場合に、この伝送ルートを通じて前記受信装置に到達する光信号の前記新規の回線が追加される前の伝送特性を記憶し、
前記新規の回線が追加された後の前記伝送ルートを通じて前記受信装置に到達する光信号の伝送特性を取得し、
前記光信号の伝送特性を比較して、前記新規の回線の追加によって伝送特性が悪化していると認められる場合に、この伝送特性を改善するための指示を出力する
付記５〜７のいずれかに記載の光信号の回線設定方法。（６）
【０１８１】
（付記９）  前記伝送特性が信号対雑音比である
付記６〜８のいずれかに記載の光信号の回線設定方法。（７）
【０１８２】
（付記１０）  前記伝送特性が受光パワーである
付記６〜８のいずれかに記載の光信号の回線設定方法。（８）
【０１８３】
（付記１１）  前記伝送特性がゲインチルトである
付記６〜８のいずれかに記載の光信号の回線設定方法。（９）
【０１８４】
（付記１２）  光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定するシステムであって、
各伝送ルート上に位置する前記送信装置、１以上の前記中継装置、及び前記受信装置の夫々の間の各区間で使用されている光信号の波長成分の数を伝送ルート毎に取得する手段と、
取得された波長成分の数を伝送ルート間で比較する手段と、
前記比較において波長成分の数が最も少ない伝送ルートを前記回線に適用すべき伝送ルートに決定する手段と
を含む光信号の伝送ルート決定システム。（１０）
【０１８５】
（付記１３）  光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定するシステムであって、
各伝送ルート上に位置する中継装置の数を伝送ルート毎に取得する手段と、
中継装置の数を伝送ルート間で比較する手段と、
中継装置の数が最も少ない伝送ルートを前記回線に適用すべき伝送ルートとして決定する手段と
を含む光信号の伝送ルート決定システム。
【０１８６】
（付記１４）  光信号の送信装置と、光信号の受信装置と、前記送信装置から前記受信装置へ伝送される光信号を中継する複数の中継装置とを含み、前記送信装置と前記受信装置との間に複数の光信号の伝送ルートが存在する光信号伝送システムにおいて、前記送信装置と前記受信装置との間に設定される光信号の回線に適用すべき伝送ルートを決定するシステムであって、
各伝送ルートの伝送距離を取得する手段と、
伝送距離を伝送ルート間で比較する手段と、
伝送距離が最も短いルートを前記回線に適用すべき伝送ルートとして決定する手段と
を含む光信号の伝送ルート決定システム。
【０１８７】
（付記１５）  決定された伝送ルート上に位置する各区間で前記回線について適用すべき光信号の波長を夫々決定する手段をさらに含む
付記１２〜１４のいずれかに記載の光信号の伝送ルート決定システム。（１１）
【０１８８】
（付記１６）  光信号の送信装置と、光信号の受信装置と、前記送信装置から前記受信装置へ伝送される光信号を中継する１以上の中継装置とを含む光信号伝送システムにおいて、前記送信装置と前記受信装置との間に光信号の回線を設定するためのシステムであって、
前記送信装置と前記中継装置との間，前記中継装置間，及び前記中継装置と前記受信装置との間の区間毎に、前記回線に適用すべき光信号の波長を決定する手段と、
前記決定された区間毎の波長で前記回線を設定するための指示を出力する手段と
を含む光信号の回線設定システム。
【０１８９】
（付記１７）  前記波長を決定する手段は、区間毎に、その区間における未使用の波長の中から、その波長の当該区間における伝送特性、又はその波長を含む複数の光信号の当該区間における伝送特性が最も良好となるときの波長を選択する
付記１６記載の光信号の回線設定システム。
【０１９０】
（付記１８）  前記波長を決定する手段は、前記送信装置と前記受信装置との間に１以上の中継装置を夫々経由する複数の伝送ルートが存在する場合に、前記回線について、伝送ルート毎に各区間で適用すべき光信号の波長を決定し、
決定された各区間の波長で各伝送ルートを通じて前記受信装置に到達する光信号の伝送特性が最も良好となるときの伝送ルートを前記回線に適用すべき伝送ルートに決定する手段をさらに含む
付記１６又は１７記載の光信号の回線設定システム。
【０１９１】
（付記１９）  前記送信装置と前記受信装置との間に或る伝送ルートで新規の回線が追加される場合に、この伝送ルートを通じて前記受信装置に到達する光信号の前記新規の回線が追加される前の伝送特性を記憶する手段と、
前記新規の回線が追加された後の前記伝送ルートを通じて前記受信装置に到達する光信号の伝送特性を取得する手段と、
前記光信号の伝送特性を比較して、前記新規の回線の追加によって伝送特性が悪化していると認められる場合に、この伝送特性を改善するための指示を出力する手段とをさらに含む
付記１６〜１８のいずれかに記載の光信号の回線設定システム。
【０１９２】
（付記２０）  前記伝送特性が信号対雑音比である
付記１７〜１９のいずれかに記載の光信号の回線設定システム。
【０１９３】
（付記２１）  前記伝送特性が受光パワーである
付記１７〜１９のいずれかに記載の光信号の回線設定システム。
【０１９４】
（付記２２）  前記伝送特性がゲインチルトである
付記１７〜１９のいずれかに記載の光信号の回線設定システム。
【０１９５】
（付記２３）  光信号を送受信するための複数の伝送ルートを有する伝送装置間で設定される光信号の回線に適用すべき伝送ルートを決定する方法であって、
伝送装置間で光信号の伝送に使用されている光信号の波長成分の数を伝送ルート毎に取得し、
取得された波長成分の数を伝送ルート間で比較し、
前記比較において波長成分の数が最も少ない伝送ルートを前記回線に適用すべき伝送ルートに決定する
ことを含む光信号の伝送ルート決定方法。
【０１９６】
（付記２４）  光信号を送受信するための複数の伝送ルートを有する伝送装置間で設定される光信号の回線に適用すべき伝送ルートを決定する方法であって、
各伝送ルートの伝送距離を取得し、
伝送距離を伝送ルート間で比較し、
伝送距離が最も短いルートを前記回線に適用すべき伝送ルートとして決定する
ことを含む光信号の伝送ルート決定方法。
【０１９７】
（付記２５）  光信号を送受信する伝送装置間で光信号の回線を設定するための方法であって、
前記伝送装置間で使用されていない光信号の波長を特定し、
未使用の光信号の波長の中から、その波長の伝送装置間における伝送特性、又はその波長を含む複数の光信号の伝送装置間における伝送特性が最も良好となるときの波長を設定対象の回線に適用すべき波長として選択する
ことを含む光信号の回線設定方法。
【０１９８】
（付記２６）  前記伝送装置間に複数の伝送ルートが存在する場合に、伝送ルート毎に前記回線に適用すべき波長を決定し、
決定された各波長で各伝送ルートを通じて受信側の伝送装置に到達する光信号の伝送特性が最も良好となるときの伝送ルートを前記回線に適用すべき伝送ルートに決定する
ことをさらに含む付記２５記載の光信号の回線設定方法。
【０１９９】
（付記２７）  前記伝送装置間に或る伝送ルートで新規の回線が追加される場合に、この伝送ルートを通じて受信側の伝送装置に到達する光信号の前記新規の回線が追加される前の伝送特性を記憶し、
前記新規の回線が追加された後の前記伝送ルートを通じて前記受信側の伝送装置に到達する光信号の伝送特性を取得し、
前記光信号の伝送特性を比較して、前記新規の回線の追加によって伝送特性が悪化していることが認められる場合に、この伝送特性を改善するための指示を出力する
ことをさらに含む付記２５又は２６に記載の光信号の回線設定方法。
【０２００】
（付記２８）  前記伝送特性が信号対雑音比である
付記２５〜２７のいずれかに記載の光信号の回線設定方法。
【０２０１】
（付記２９）  前記伝送特性が受光パワーである
付記２５〜２７のいずれかに記載の光信号の回線設定方法。
【０２０２】
（付記３０）  前記伝送特性がゲインチルトである
付記２５〜２７のいずれかに記載の光信号の回線設定方法。
【０２０３】
（付記３１）  光信号を送受信するための複数の伝送ルートを有する伝送装置間に設定される回線に適用すべき伝送ルートを決定するシステムであって、
前記伝送装置間で使用されている光信号の波長成分の数を伝送ルート毎に取得する手段と、
取得された波長成分の数を伝送ルート間で比較する手段と、
前記比較において波長成分の数が最も少ない伝送ルートを前記回線に適用すべき伝送ルートに決定する手段と
を含む光信号の伝送ルート決定システム。
【０２０４】
（付記３２）  光信号を送受信するための複数の伝送ルートを有する伝送装置間に設定される回線に適用すべき伝送ルートを決定するシステムであって、
各伝送ルートの伝送距離を取得する手段と、
伝送距離を伝送ルート間で比較する手段と、
伝送距離が最も短いルートを前記回線に適用すべき伝送ルートとして決定する手段と
を含む光信号の伝送ルート決定システム。
【０２０５】
（付記３３）  光信号を送受信する伝送装置間に回線を設定するためのシステムであって、
前記伝送装置間で使用されていない光信号の波長を特定する手段と、
未使用の光信号の中から、その波長の伝送装置間における伝送特性、又はその波長を含む複数の光信号の伝送装置間における伝送特性が最も良好となるときの波長を設定対象の回線に適用すべき波長として決定する手段と
を含む光信号の回線設定システム。
【０２０６】
（付記３４）  前記波長を決定する手段は、伝送装置間に複数の伝送ルートが存在する場合に、伝送ルート毎に前記回線に適用すべき光信号の波長を決定し、
決定された各波長で各伝送ルートを通じて前記受信装置に到達する光信号の伝送特性が最も良好となるときの伝送ルートを前記回線に適用すべき伝送ルートに決定する手段をさらに含む
付記３３記載の光信号の回線設定システム。
【０２０７】
（付記３５）  前記伝送装置間に或る伝送ルートで新規の回線が追加される場合に、こ
の伝送ルートを通じて受信側の伝送装置に到達する光信号の前記新規の回線が追加される前の伝送特性を記憶する手段と、
前記新規の回線が追加された後の前記伝送ルートを通じて前記受信側の伝送装置に到達する光信号の伝送特性を取得する手段と、
前記光信号の伝送特性を比較して、前記新規の回線の追加によって伝送特性が悪化していることが認められる場合に、この伝送特性を改善するための指示を出力する手段とをさらに含む
付記３３又は３４記載の光信号の回線設定システム。
【０２０８】
（付記３６）  前記伝送特性が信号対雑音比である
付記３３〜３５のいずれかに記載の光信号の回線設定システム。
【０２０９】
（付記３７）  前記伝送特性が受光パワーである
付記３３〜３５のいずれかに記載の光信号の回線設定システム。
【０２１０】
（付記３８）  前記伝送特性がゲインチルトである
付記３３〜３５のいずれかに記載の光信号の回線設定システム。
【産業上の利用可能性】
【０２１１】
本発明は、光多重伝送システムのような光信号伝送システムに適用することができる。
【国際調査報告】
2004114554.tif 000026
2004114554.tif 000027
2004114554.tif 000028
2004114554.tif 000029
2004114554.tif 000030
2004114554.tif 000031